(57)【要約】多重コンポーネントキャリアシステムにおける電力調整のための制御情報の送信装置及び方法がここに開示される。本明細書は、端末のアップリンク最大送信電力に対する電力調整の範囲を決定するときに使われる前記端末に対する付随情報を要求する付随情報要求メッセージを基地局から受信し、前記付随情報を取得し、及び前記付随情報要求メッセージに対する応答として、前記取得された付随情報を含む付随情報応答メッセージを前記基地局に送信することを開示する。また、既存の端末情報手順を用いて電力調整に対する情報を提供することができるため、既存のシステム手順との互換性を維持することができる。【選択図】図１３
2013538028.tif 000002
【特許請求の範囲】
【請求項１】
多重コンポーネントキャリアシステムにおける制御情報の送信方法であって、
前記方法は、ユーザ端末が基地局から端末性能要求メッセージを受信し、前記端末が前記基地局に端末特性情報を含む端末性能応答メッセージを送信することを含み、
前記端末特性情報は、前記端末が同時にサポート可能な周波数帯域の数に関する情報と、前記各周波数帯域で端末によりサポート可能なコンポーネントキャリアの最大個数及び前記コンポーネントキャリアの最大個数以内で集約によりサポート可能な周波数帯域幅に関する情報と、を含むことを特徴とする制御情報の送信方法。
【請求項２】
前記周波数帯域の全てに関する前記コンポーネントキャリアの最大個数を加えた値は、前記端末がサポートすることができるコンポーネントキャリアの総個数より小さい又は同じであることを特徴とする請求項１に記載の制御情報の送信方法。
【請求項３】
前記各周波数帯域に関する前記コンポーネントキャリアの最大個数と前記周波数帯域幅は、前記端末のハードウェア構成により決定されることを特徴とする請求項１に記載の制御情報の送信方法。
【請求項４】
前記各周波数帯域内でアップリンク帯域とダウンリンク帯域が周波数分割されることを特徴とする請求項１に記載の制御情報の送信方法。
【請求項５】
前記各周波数帯域に対する前記コンポーネントキャリアの最大個数は、ｎ(ｎ≧１)以内で決定されることを特徴とする請求項１に記載の制御情報の送信方法。
【請求項６】
多重コンポーネントキャリアシステムにおける制御情報の受信方法であって、
基地局がユーザ端末に端末性能要求メッセージを送信し、前記基地局が前記端末から端末特性情報を含む端末性能応答メッセージを受信することを含み、
前記端末特性情報は、前記端末が同時にサポート可能な二つ以上の周波数帯域の数に関する情報と、前記各周波数帯域で端末によりサポート可能なコンポーネントキャリアの最大個数及び前記コンポーネントキャリアの最大個数以内で集約によりサポート可能な周波数帯域幅に関する情報と、を含むことを特徴とする制御情報の受信方法。
【請求項７】
前記周波数帯域の全てに関する前記コンポーネントキャリアの最大個数を前記各周波数帯域にわたって全部加えた値は、前記端末がサポートすることができるコンポーネントキャリアの総個数より小さい又は同じであることを特徴とする請求項６に記載の制御情報の受信方法。
【請求項８】
前記各周波数帯域に関する前記コンポーネントキャリアの最大個数と前記周波数帯域幅は、前記端末のハードウェア構成により決定されることを特徴とする請求項６に記載の制御情報の受信方法。
【請求項９】
前記各周波数帯域内でアップリンク帯域とダウンリンク帯域が周波数分割されることを特徴とする請求項６に記載の制御情報の受信方法。
【請求項１０】
前記各周波数帯域に対する前記コンポーネントキャリアの最大個数は、ｎ(ｎ≧１)以内で決定されることを特徴とする請求項６に記載の制御情報の受信方法。
【請求項１１】
多重コンポーネントキャリアシステムにおける制御情報を送信する端末であって、
基地局から端末性能要求メッセージを受信するメッセージ受信部；
前記端末性能要求メッセージを分析して端末特性情報を取得する情報取得部；及び、
前記基地局に端末特性情報を含むメッセージ送信部；を含み、
前記端末特性情報は、前記端末が同時にサポート可能な二つ以上の周波数帯域の数に関する情報と、前記各周波数帯域で端末によりサポート可能なコンポーネントキャリアの最大個数及び前記コンポーネントキャリアの最大個数以内で集約によりサポート可能な周波数帯域幅に関する情報と、を含むことを特徴とする端末。
【請求項１２】
前記周波数帯域の全てに関する前記コンポーネントキャリアの最大個数を全部加えた値は、前記端末がサポートすることができるコンポーネントキャリアの総個数より小さい又は同じであることを特徴とする請求項１１に記載の端末。
【請求項１３】
前記各周波数帯域に関する前記コンポーネントキャリアの最大個数と前記周波数帯域幅は、前記端末のハードウェア構成により決定されることを特徴とする請求項１１に記載の端末。
【請求項１４】
前記各周波数帯域内でアップリンク帯域とダウンリンク帯域が周波数分割されることを特徴とする請求項１１に記載の端末。
【請求項１５】
前記各周波数帯域に対する前記コンポーネントキャリアの最大個数は、ｎ(ｎ≧１)以内で決定されることを特徴とする請求項１１に記載の端末。
【請求項１６】
多重コンポーネントキャリアシステムにおける制御情報を受信する基地局であって、
端末に端末性能要求メッセージを送信するメッセージ送信部；
前記端末から端末特性情報を含む端末性能応答メッセージを受信するメッセージ受信部；及び、
前記端末特性情報を決定する情報分析部；を含み、
前記端末特性情報は、前記端末が同時にサポート可能な二つ以上の周波数帯域の数に関する情報と、前記各周波数帯域で端末によりサポート可能なコンポーネントキャリアの最大個数及び前記コンポーネントキャリアの最大個数以内で集約によりサポート可能な周波数帯域幅に関する情報と、を含むことを特徴とする基地局。
【請求項１７】
前記周波数帯域の全てに関する前記コンポーネントキャリアの最大個数を前記各周波数帯域にわたって全部加えた値は、前記端末がサポートすることができるコンポーネントキャリアの総個数より小さい又は同じであることを特徴とする請求項１６に記載の基地局。
【請求項１８】
前記各周波数帯域に関する前記コンポーネントキャリアの最大個数と前記周波数帯域幅は、前記端末のハードウェア構成により決定されることを特徴とする請求項１６に記載の基地局。
【請求項１９】
前記各周波数帯域内でアップリンク帯域とダウンリンク帯域が周波数分割されることを特徴とする請求項１６に記載の基地局。
【請求項２０】
前記各周波数帯域に関する前記コンポーネントキャリアの最大個数は、ｎ(ｎ≧１)以内で決定されることを特徴とする請求項１６に記載の基地局。
【請求項２１】
多重コンポーネントキャリアシステムにおける制御情報の送信方法であって、
端末が基地局から端末性能要求メッセージを受信し、
前記端末が前記基地局に端末特性情報を含む端末性能応答メッセージを送信することを含み、
前記端末特性情報は、前記端末がサポートすることができる第１の周波数帯域に関する情報、前記第１の周波数帯域で前記端末によりサポート可能なコンポーネントキャリアの第１の最大個数を指示する情報、及び前記第１の最大個数内で前記端末がコンポーネントキャリア集約によりサポートすることができる第１の周波数帯域幅に関する情報を含み、前記端末特性情報は、前記端末がサポートすることができる第２の周波数帯域に関する情報、前記第２の周波数帯域内で前記端末によりサポートすることができるコンポーネントキャリアの第２の最大個数を指示する情報、及び前記第２の最大個数内でコンポーネントキャリア集約によりサポートすることができる第２の周波数帯域幅に関する情報を含むことを特徴とする制御情報の送信方法。
【請求項２２】
多重コンポーネントキャリアシステムにおける制御情報の受信方法であって、
基地局が端末に端末性能要求メッセージを送信し、
前記基地局が前記端末から端末特性情報を含む端末性能応答メッセージを受信することを含み、
前記端末特性情報は、前記端末がサポートすることができる第１の周波数帯域に関する情報、前記第１の周波数帯域で前記端末によりサポート可能なコンポーネントキャリアの第１の最大個数を指示する情報、及び前記第１の最大個数内でコンポーネントキャリア集約によりサポートすることができる第１の周波数帯域幅に関する情報を含み、
前記端末特性情報は、更に、前記端末がサポートすることができる第２の周波数帯域に関する情報、前記第２の周波数帯域内で前記端末によりサポートすることができるコンポーネントキャリアの第２の最大個数を指示する情報、及び前記第２の最大個数内でコンポーネントキャリア集約によりサポートすることができる第２の周波数帯域幅に対する情報を含むことを特徴とする制御情報の受信方法。
【請求項２３】
多重コンポーネントキャリアシステムにおける制御情報を送信する端末であって、
基地局から端末性能要求メッセージを受信するメッセージ受信部；
端末特性情報を取得する情報取得部；及び、
前記基地局に端末特性情報を含む端末性能応答メッセージを送信するメッセージ送信部；を含み、
前記端末特性情報は、前記端末がサポートすることができる第１の周波数帯域に関する情報、前記第１の周波数帯域で前記端末によりサポートすることができるコンポーネントキャリアの第１の最大個数を指示する情報、及び前記第１の最大個数内でコンポーネントキャリア集約によりサポートすることができる第１の周波数帯域幅に関する情報を含み、
前記端末特性情報は、更に、前記端末がサポートすることができる第２の周波数帯域に関する情報、前記第２の周波数帯域内で前記端末によりサポートされることができるコンポーネントキャリアの第２の最大個数を指示する情報、及び前記第２の最大個数内でコンポーネントキャリア集約によりサポートすることができる第２の周波数帯域幅に対する情報を含むことを特徴とする端末。
【請求項２４】
多重コンポーネントキャリアシステムにおける制御情報を受信する基地局であって、
前記方法は、
端末に端末性能要求メッセージを送信するメッセージ送信部；
前記端末から端末特性情報を含む端末性能応答メッセージを受信するメッセージ受信部；及び、
前記端末特性情報を決定する情報分析部；を含み、
前記端末特性情報は、前記端末がサポートすることができる第１の周波数帯域に関する情報、前記第１の周波数帯域内で前記端末によりサポート可能なコンポーネントキャリアの第１の最大個数を指示する情報、及び前記第１の最大個数内でコンポーネントキャリア集約によりサポートすることができる第１の周波数帯域幅に関する情報を含み、
前記端末特性情報は更に、前記端末がサポートすることができる第２の周波数帯域に関する情報、前記第２の周波数帯域内で前記端末によりサポート可能なコンポーネントキャリアの第２の最大個数を指示する情報、及び前記第２の最大個数内で前記端末がコンポーネントキャリア集約によりサポートすることができる第２の周波数帯域幅に対する情報を含むことを特徴とする基地局。
【請求項２５】
多重コンポーネントキャリアシステムにおける制御情報の送信方法であって、
端末が基地局から端末性能(ＵＥ ｃａｐａｂｉｌｉｔｙ)要求メッセージを受信し、
前記端末が前記基地局に端末特性情報の集合(ｓｅｔ)を含む端末性能応答メッセージを送信することを含み、
前記端末特性情報の集合は、前記端末がサポートすることができる周波数帯域に関する情報、前記周波数帯域で前記端末によりサポート可能なコンポーネントキャリアの最大個数を指示する情報、前記最大個数内で前記端末のコンポーネントキャリア集約によりサポートすることができる周波数帯域幅に関する情報、及び前記端末により同時にサポート可能な周波数バンドの個数に等しい端末特性情報の集合の個数を含むことを特徴とする制御情報の送信方法。
【請求項２６】
多重コンポーネントキャリアシステムにおける制御情報の受信方法であって、
基地局が端末に端末性能要求メッセージを送信し、
前記基地局が前記端末から端末特性情報の集合を含む端末性能応答メッセージを受信することを含み、
前記端末特性情報の集合は、前記端末がサポートすることができる周波数帯域に対する情報、前記周波数帯域内で前記端末によりサポート可能なコンポーネントキャリアの最大個数を指示する情報、前記最大個数内で前記端末のコンポーネントキャリア集約によりサポートすることができる周波数帯域幅に関する情報、及び前記端末により同時にサポート可能な周波数バンドの個数と同じ端末特性情報の集合の個数を含むことを特徴とする制御情報の受信方法。
【請求項２７】
多重コンポーネントキャリアシステムにおける制御情報を送信する端末であって、
基地局から端末性能要求メッセージを受信するメッセージ受信部；
端末特性情報の集合を取得する情報取得部；及び、
前記基地局に端末特性情報の集合を含む端末性能応答メッセージを送信するメッセージ送信部；を含み、
前記端末特性情報の集合は、前記端末がサポートすることができる周波数帯域に関する情報、前記周波数帯域で前記端末によりサポート可能なコンポーネントキャリアの最大個数を指示する情報、前記最大個数内で前記端末のコンポーネントキャリア集約によりサポートすることができる周波数帯域幅に関する情報、及び前記端末により同時にサポートされることができる周波数バンドの個数に等しい端末特性情報の集合の個数を含むことを特徴とする端末。
【請求項２８】
多重コンポーネントキャリアシステムにおける制御情報を受信する基地局であって、
前記方法は、
端末に端末性能要求メッセージを送信するメッセージ送信部；
前記端末から端末特性情報の集合(ｓｅｔ)を含む端末性能応答メッセージを受信するメッセージ受信部；及び、
前記端末特性情報の集合を決定する情報分析部；を含み、
前記端末特性情報の集合は、前記端末がサポートすることができる周波数帯域に関する情報、前記周波数帯域で前記端末によりサポート可能なコンポーネントキャリアの最大個数を指示する情報、前記最大個数内で前記コンポーネントキャリア集約によりサポートすることができる周波数帯域幅に関する情報、及び前記端末により同時にサポートされることができる周波数バンドの個数に等しい端末特性情報の集合の個数を含むことを特徴とする基地局。
【発明の詳細な説明】
【技術分野】
【０００１】
本発明は、無線通信に関し、より詳しくは、多重コンポーネントキャリアシステムにおける電力調整に対する情報の送信装置及び方法に関する。
【背景技術】
【０００２】
次世代無線通信システムの候補として３ＧＰＰ(３ｒｄ Ｇｅｎｅｒａｔｉｏｎ Ｐａｒｔｎｅｒｓｈｉｐ Ｐｒｏｊｅｃｔ)ＬＴＥ(ｌｏｎｇ ｔｅｒｍ ｅｖｏｌｕｔｉｏｎ)とＩＥＥＥ(Ｉｎｓｔｉｔｕｔｅ ｏｆ Ｅｌｅｃｔｒｉｃａｌ ａｎｄ Ｅｌｅｃｔｒｏｎｉｃｓ Ｅｎｇｉｎｅｅｒｓ)８０２.１６ｍが開発されている。８０２.１６ｍ規格は、既存の８０２.１６ｅ規格の修正と次世代ＩＭＴ−Ａｄｖａｎｃｅｄシステムのための規格という二つの側面を含んでいる。したがって、８０２.１６ｍ規格は、８０２.１６ｅ規格に基づくＭｏｂｉｌｅ ＷｉＭＡＸシステムとの互換性(ｃｏｍｐａｔｉｂｉｌｉｔｙ)を維持すると共に、ＩＭＴ−Ａｄｖａｎｃｅｄシステムのための進歩した要求事項を全て満たすことを要求している。
【０００３】
無線通信システムは、データ送信のために一つの帯域幅を用いる。例えば、２世代無線通信システムは２００ＫＨｚ〜１.２５ＭＨｚの帯域幅を使用し、３世帯無線通信システムは５ＭＨｚ〜１０ＭＨｚの帯域幅を使用する。増加する送信容量をサポートするために、最近の３ＧＰＰ ＬＴＥ又は８０２.１６ｍの帯域幅は、２０ＭＨｚ以上までその帯域幅が拡張されている。帯域幅の増加は、より大きい帯域幅をサポートするために送信容量の増加と共に行われることができるが、要求されるサービスの水準が低い場合にも大きい帯域幅をサポートすることは大きな電力消耗を引き起こす可能性がある。
【０００４】
したがって、一つの帯域幅と中心周波数を有する搬送波を定義し、複数の搬送波を介して広帯域にデータを送信及び/又は受信することができるようにする多重コンポーネントキャリア(Ｍｕｌｔｉｐｌｅ Ｃｏｍｐｏｎｅｎｔ Ｃａｒｒｉｅｒ)システムが登場している。一つ又はそれ以上の搬送波を使用することによって狭帯域と広帯域を同時にサポートすることである。例えば、一つの搬送波が５ＭＨｚの帯域幅に対応される場合、４個の搬送波を使用することによって最大２０ＭＨｚの帯域幅をサポートする。
【０００５】
基地局が端末のリソースを効率的に活用するための一つの方法は、端末の電力情報を用いることによっても開発されてきた。電力制御技術は、無線通信でリソースの効率的配分するために干渉要素を最小化し、端末のバッテリー消耗を減らすための技術である。端末は、基地局が割り当てる送信電力制御(Ｔｒａｎｓｍｉｔ Ｐｏｗｅｒ Ｃｏｎｔｒｏｌ；ＴＰＣ)、変調及びコーディングスキーム(Ｍｏｄｕｌａｔｉｏｎ ａｎｄ Ｃｏｄｉｎｇ Ｓｃｈｅｍｅ；ＭＣＳ)、帯域幅等のスケジューリング情報によってアップリンク送信電力を決定することができる。
【０００６】
しかしながら、多重コンポーネントキャリアシステムが導入されることによってコンポーネントキャリアのアップリンク送信電力が総合的に考慮される。そのため、端末の電力制御はさらに複雑になる。このような複雑性は、端末の最大送信電力(Ｍａｘｉｍｕｍ Ｔｒａｎｓｍｉｓｓｉｏｎ Ｐｏｗｅｒ)の側面で問題を引き起こす可能性がある。一般的に、端末は、許容可能な範囲の送信電力である最大送信電力より低い電力により動作される。もし、基地局が前記最大送信電力を超える送信電力を要求するスケジューリングをする場合、実際アップリンク送信電力が前記最大送信電力を超過する問題を起こす可能性がある。これは、多重コンポーネントキャリアの電力制御が明確に定義されなかったか、或いは端末と基地局との間にアップリンク送信電力に対する情報が十分に共有されなかったためである。
【発明の概要】
【発明が解決しようとする課題】
【０００７】
本発明の技術的課題は、多重コンポーネントキャリアシステムにおける電力調整のための制御情報の送信装置及び方法を提供することである。
【課題を解決するための手段】
【０００８】
本発明の追加的な特徴は、下記の明細書で提示され、一部は、本明細書により明らかになり、又は本発明の具現により習得されることができる。
【０００９】
本発明の一実施例は、多重コンポーネントキャリアシステムにおける制御情報の送信方法を提供する。前記方法は、ユーザ端末（ＵＥ）が基地局（ＢＳ）から端末性能(ＵＥ ｃａｐａｂｉｌｉｔｙ)要求メッセージを受信し、前記端末が前記基地局に前記端末に対する端末性能情報を含む応答メッセージを送信することを含み、前記端末性能情報は、特定の周波数帯域の組み合わせ(ｃｏｍｂｉｎａｔｉｏｎ)のうち前記端末がサポート可能な全ての組み合わせを示す最大組み合わせ情報(ｍａｘＢａｎｄＣｏｍｂ)と、前記端末と前記基地局との間の通信を可能にするためのアップリンク動作(ｏｐｅｒａｔｉｎｇ)周波数帯域及びダウンリンク動作周波数帯域を識別する情報と、前記端末によりサポートされるコンポーネントキャリアの最大個数と前記サポートされるコンポーネントキャリアの集約(ｃａｒｒｉｅｒ ａｇｇｒｅｇａｔｉｏｎ)により形成される周波数帯域幅を定義する帯域幅クラスを含む。
【００１０】
本発明の他の実施例は、多重コンポーネントキャリアシステムにおける制御情報の受信方法を提供する。前記方法は、基地局がユーザ端末（ＵＥ）に端末性能(ＵＥ ｃａｐａｂｉｌｉｔｙ)要求メッセージを送信し、前記基地局が前記端末から前記端末に対する端末性能情報を含む応答メッセージを受信することを含み、前記端末性能情報は、特定の周波数帯域の組み合わせ(ｃｏｍｂｉｎａｔｉｏｎ)のうち前記端末がサポート可能な全ての組み合わせを示す最大組み合わせ情報(ｍａｘＢａｎｄＣｏｍｂ)と、前記端末と前記基地局との間の通信を可能にするためのアップリンク動作(ｏｐｅｒａｔｉｎｇ)周波数帯域及びダウンリンク動作周波数帯域を識別する情報と、前記端末によりサポートされるコンポーネントキャリアの最大個数と前記サポートされるコンポーネントキャリアの集約(ｃａｒｒｉｅｒ ａｇｇｒｅｇａｔｉｏｎ)により形成される周波数帯域幅を定義する帯域幅クラスを含む。
【００１１】
本発明の他の実施例は、多重コンポーネントキャリアシステムにおける制御情報を送信する端末（ＵＥ）を提供する。前記端末は、端末性能(ＵＥ ｃａｐａｂｉｌｉｔｙ)要求メッセージを基地局から受信するメッセージ受信部、前記端末に関する端末性能情報を取得する付随情報取得部、及び応答メッセージを送信するメッセージ送信部を含んでおり、前記付随情報取得部は、特定の周波数帯域の組み合わせ(ｃｏｍｂｉｎａｔｉｏｎ)のうち前記端末がサポート可能な全ての組み合わせを示す最大組み合わせ情報(ｍａｘＢａｎｄＣｏｍｂ)と、前記端末と前記基地局との間の通信を可能にするためのアップリンク動作(ｏｐｅｒａｔｉｎｇ)周波数帯域及びダウンリンク動作周波数帯域を識別する情報と、前記端末によりサポートされるコンポーネントキャリアの最大個数と前記サポートされるコンポーネントキャリアの集約(ｃａｒｒｉｅｒ ａｇｇｒｅｇａｔｉｏｎ)により形成される周波数帯域幅を定義する帯域幅クラスを含む前記端末性能情報を取得する。
【００１２】
本発明の他の実施例は、多重コンポーネントキャリアシステムにおける制御情報を受信する基地局（ＢＳ）を提供する。前記基地局は、端末性能(ＵＥ ｃａｐａｂｉｌｉｔｙ)要求メッセージを端末に送信するメッセージ送信部、及び前記端末に関する端末性能情報を含む応答メッセージを前記端末から受信するメッセージ受信部を含んでおり、前記端末性能情報は、特定の周波数帯域の組み合わせ(ｃｏｍｂｉｎａｔｉｏｎ)のうち前記端末がサポート可能な全ての組み合わせを示す最大組み合わせ情報(ｍａｘＢａｎｄＣｏｍｂ)と、前記端末と前記基地局との間の通信を可能にするためのアップリンク動作(ｏｐｅｒａｔｉｎｇ)周波数帯域及びダウンリンク動作周波数帯域を識別する情報と、前記端末によりサポートされるコンポーネントキャリアの最大個数と前記サポートされるコンポーネントキャリアの集約(ｃａｒｒｉｅｒ ａｇｇｒｅｇａｔｉｏｎ)により形成される周波数帯域幅を定義する帯域幅クラスを含む。
【００１３】
本発明の他の実施例は、多重コンポーネントキャリア(ｍｕｌｔｉｐｌｅ ｃｏｍｐｏｎｅｎｔ ｃａｒｒｉｅｒ)システムにおける制御情報の送信方法を提供する。前記方法は、端末(ｕｓｅｒ ｅｑｕｉｐｍｅｎｔ；ＵＥ)が基地局(ｂａｓｅ ｓｔａｔｉｏｎ；ＢＳ)から端末性能(ＵＥ ｃａｐａｂｉｌｉｔｙ)要求メッセージを受信し、及び前記端末が前記基地局に端末特性情報(ＵＥ ｃｈａｒａｃｔｅｒｉｓｔｉｃ ｉｎｆｏｒｍａｔｉｏｎ)を含む端末性能応答メッセージを送信することを含む。
【００１４】
前記端末特性情報は、前記端末が同時にサポート可能な周波数帯域(ｆｒｅｑｕｅｎｃｙ ｂａｎｄ)の数に関する情報と、前記各周波数帯域で端末によりサポート可能な(ｓｕｐｐｏｒｔａｂｌｅ)コンポーネントキャリアの最大個数(ｍａｘｉｍｕｍ ｎｕｍｂｅｒ)及び前記コンポーネントキャリアの最大個数以内で集約(ａｇｇｒｅｇａｔｉｏｎ)によりサポート可能な周波数帯域幅に関する情報と、を含む。
【００１５】
前記全ての周波数帯域に関する前記コンポーネントキャリアの最大個数を加えた値は、前記端末がサポートすることができるコンポーネントキャリアの総個数より小さい又は同じである。
【００１６】
前記各周波数帯域に関する前記コンポーネントキャリアの最大個数と前記周波数帯域幅は、前記端末のハードウェア構成(ｈａｒｄｗａｒｅ ｃｏｎｆｉｇｕｒａｔｉｏｎ)により決定される。
【００１７】
前記各周波数帯域内でアップリンク帯域とダウンリンク帯域が周波数分割される。
【００１８】
前記各周波数帯域に対する前記コンポーネントキャリアの最大個数は、ｎ(ｎ≧１)以内で決定される。
【００１９】
本発明の他の実施例は、多重コンポーネントキャリア(ｍｕｌｔｉｐｌｅ ｃｏｍｐｏｎｅｎｔ ｃａｒｒｉｅｒ)システムにおける制御情報の受信方法を提供する。前記方法は、基地局が端末に端末性能(ＵＥ ｃａｐａｂｉｌｉｔｙ)要求メッセージを送信し、前記基地局が前記端末から端末特性情報(ＵＥ ｃｈａｒａｃｔｅｒｉｓｔｉｃ ｉｎｆｏｒｍａｔｉｏｎ)を含む端末性能応答メッセージを受信することを含む。
【００２０】
前記端末特性情報は、前記端末が同時にサポート可能な二つ以上の周波数帯域(ｆｒｅｑｕｅｎｃｙ ｂａｎｄ)の数に関する情報と、前記各周波数帯域で端末によりサポート可能な(ｓｕｐｐｏｒｔａｂｌｅ)コンポーネントキャリアの最大個数(ｍａｘｉｍｕｍ ｎｕｍｂｅｒ)及び前記コンポーネントキャリアの最大個数以内で集約(ａｇｇｒｅｇａｔｉｏｎ)によりサポート可能な周波数帯域幅に関する情報と、を含む。
【００２１】
前記全ての周波数帯域に関する前記コンポーネントキャリアの最大個数を前記各周波数帯域にわたって全部加えた値は、前記端末がサポートすることができるコンポーネントキャリアの総個数より小さい又は同じである。
【００２２】
前記各周波数帯域に関する前記コンポーネントキャリアの最大個数と前記周波数帯域幅は、前記端末のハードウェア構成(ｈａｒｄｗａｒｅ ｃｏｎｆｉｇｕｒａｔｉｏｎ)により決定される。
【００２３】
前記各周波数帯域内でアップリンク帯域とダウンリンク帯域が周波数分割される。
【００２４】
前記各周波数帯域に対する前記コンポーネントキャリアの最大個数は、ｎ(ｎ≧１)以内で決定される。
【００２５】
本発明の他の実施例は、多重コンポーネントキャリア(ｍｕｌｔｉｐｌｅ ｃｏｍｐｏｎｅｎｔ ｃａｒｒｉｅｒ)システムにおける制御情報を送信する端末を提供する。前記端末は、基地局(ｂａｓｅ ｓｔａｔｉｏｎ；ＢＳ)から端末性能(ＵＥ ｃａｐａｂｉｌｉｔｙ)要求メッセージを受信するメッセージ受信部、前記端末性能要求メッセージを分析して端末特性情報を取得する情報取得部、及び前記基地局に端末特性情報(ＵＥ ｃｈａｒａｃｔｅｒｉｓｔｉｃ ｉｎｆｏｒｍａｔｉｏｎ)を含むメッセージ送信部を含む。
【００２６】
前記端末特性情報は、前記端末が同時にサポート可能な二つ以上の周波数帯域(ｆｒｅｑｕｅｎｃｙ ｂａｎｄ)の数に関する情報と、前記各周波数帯域で端末によりサポート可能な(ｓｕｐｐｏｒｔａｂｌｅ)コンポーネントキャリアの最大個数(ｍａｘｉｍｕｍ ｎｕｍｂｅｒ)及び前記コンポーネントキャリアの最大個数以内で集約(ａｇｇｒｅｇａｔｉｏｎ)によりサポート可能な周波数帯域幅に関する情報と、を含む。
【００２７】
前記全ての周波数帯域に関する前記コンポーネントキャリアの最大個数を全部加えた値は、前記端末がサポートすることができるコンポーネントキャリアの総個数より小さい又は同じである。
【００２８】
前記各周波数帯域に関する前記コンポーネントキャリアの最大個数と前記周波数帯域幅は、前記端末のハードウェア構成(ｈａｒｄｗａｒｅ ｃｏｎｆｉｇｕｒａｔｉｏｎ)により決定される。
【００２９】
前記各周波数帯域内でアップリンク帯域とダウンリンク帯域が周波数分割される。
【００３０】
前記各周波数帯域に対する前記コンポーネントキャリアの最大個数は、ｎ(ｎ≧１)以内で決定される。
【００３１】
本発明の他の実施例は、多重コンポーネントキャリア(ｍｕｌｔｉｐｌｅ ｃｏｍｐｏｎｅｎｔ ｃａｒｒｉｅｒ)システムにおける制御情報を受信する基地局を提供する。前記基地局は、端末に端末性能(ＵＥ ｃａｐａｂｉｌｉｔｙ)要求メッセージを送信するメッセージ送信部、前記端末から端末特性情報(ＵＥ ｃｈａｒａｃｔｅｒｉｓｔｉｃ ｉｎｆｏｒｍａｔｉｏｎ)を含む端末性能応答メッセージを受信するメッセージ受信部、及び前記端末特性情報を決定する情報分析部を含む。
【００３２】
前記端末特性情報は、前記端末が同時にサポート可能な二つ以上の周波数帯域(ｆｒｅｑｕｅｎｃｙ ｂａｎｄ)の数に関する情報と、前記各周波数帯域で端末によりサポート可能な(ｓｕｐｐｏｒｔａｂｌｅ)コンポーネントキャリアの最大個数(ｍａｘｉｍｕｍ ｎｕｍｂｅｒ)及び前記コンポーネントキャリアの最大個数以内で集約(ａｇｇｒｅｇａｔｉｏｎ)によりサポート可能な周波数帯域幅に関する情報と、を含む。
【００３３】
前記全ての周波数帯域に関する前記コンポーネントキャリアの最大個数を全部加えた値は、前記端末がサポートすることができるコンポーネントキャリアの総個数より小さい又は同じである。
【００３４】
前記各周波数帯域に関する前記コンポーネントキャリアの最大個数と前記周波数帯域幅は、前記端末のハードウェア構成(ｈａｒｄｗａｒｅ ｃｏｎｆｉｇｕｒａｔｉｏｎ)により決定される。
【００３５】
前記各周波数帯域内でアップリンク帯域とダウンリンク帯域が周波数分割される。
【００３６】
前記各周波数帯域に関する前記コンポーネントキャリアの最大個数は、ｎ(ｎ≧１)以内で決定される。
【００３７】
本発明の他の実施例は、多重コンポーネントキャリアシステムにおける制御情報の送信方法を提供する。前記方法は、端末が基地局（ＢＳ）から端末性能(ＵＥ ｃａｐａｂｉｌｉｔｙ)要求メッセージを受信し、前記端末が前記基地局に端末特性情報を含む端末性能応答メッセージを送信することを含む。
【００３８】
前記端末特性情報は、前記端末がサポートすることができる第１の周波数帯域に関する情報、前記第１の周波数帯域で前記端末によりサポート可能なコンポーネントキャリアの第１の最大個数を指示する情報、及び前記第１の最大個数内でコンポーネントキャリア集約によりサポートすることができる第１の周波数帯域幅に関する情報を含み、前記端末特性情報は、前記端末がサポートすることができる第２の周波数帯域に関する情報、前記第２の周波数帯域内で前記端末によりサポートされることができるコンポーネントキャリアの第２の最大個数を指示する情報、及び前記第２の最大個数内でコンポーネントキャリア集約によりサポートすることができる第２の周波数帯域幅に対する情報を含む。
【００３９】
本発明の他の実施例は、多重コンポーネントキャリアシステムにおける制御情報の受信方法を提供する。前記方法は、基地局（ＢＳ）が端末に端末性能(ＵＥ ｃａｐａｂｉｌｉｔｙ)要求メッセージを送信し、及び前記基地局が前記端末から端末特性情報を含む端末性能応答メッセージを受信することを含む。
【００４０】
前記端末特性情報は、前記端末がサポートすることができる第１の周波数帯域に関する情報、前記第１の周波数帯域で前記端末によりサポートされるコンポーネントキャリアの第１の最大個数を指示する情報、及び前記第１の最大個数内でコンポーネントキャリア集約によりサポートすることができる第１の周波数帯域幅に関する情報を含み、前記端末特性情報は更に、前記端末がサポートすることができる第２の周波数帯域に関する情報、前記第２の周波数帯域内で前記端末によりサポートされるコンポーネントキャリアの第２の最大個数を指示する情報、及び前記第２の最大個数内でコンポーネントキャリア集約によりサポートすることができる第２の周波数帯域幅に関する情報を含む。
【００４１】
本発明の他の実施例は、多重コンポーネントキャリアシステムにおける制御情報を送信する端末（ＵＥ）を提供する。前記端末は、基地局から端末性能(ＵＥ ｃａｐａｂｉｌｉｔｙ)要求メッセージを受信するメッセージ受信部、端末特性情報を取得する情報取得部、及び前記基地局に端末特性情報を含む端末性能応答メッセージを送信するメッセージ送信部を含む。
【００４２】
前記端末特性情報は、前記端末がサポートすることができる第１の周波数帯域に関する情報、前記第１の周波数帯域で前記端末によりサポート可能なコンポーネントキャリアの第１の最大個数を指示する情報、及び前記第１の最大個数内で前記端末がコンポーネントキャリア集約によりサポート可能な第１の周波数帯域幅に対する情報を含み、前記端末特性情報は更に、前記端末がサポート可能な第２の周波数帯域に関する情報、前記第２の周波数帯域内で前記端末によりサポート可能なコンポーネントキャリアの第２の最大個数を指示する情報、及び前記第２の最大個数内でコンポーネントキャリア集約によりサポート可能な第２の周波数帯域幅に対する情報を含む。
【００４３】
本発明の他の実施例は、多重コンポーネントキャリアシステムにおける制御情報を受信する基地局（ＢＳ）を提供する。前記方法は端末（ＵＥ）に端末性能(ＵＥ ｃａｐａｂｉｌｉｔｙ)要求メッセージを送信するメッセージ送信部、前記端末から端末特性情報を含む端末性能応答メッセージを受信するメッセージ受信部、及び前記端末特性情報を決定する情報分析部を含む。
【００４４】
前記端末特性情報は、前記端末がサポートすることができる第１の周波数帯域に対する情報、前記第１の周波数帯域内で前記端末によりサポート可能なコンポーネントキャリアの第１の最大個数を指示する情報、及び前記第１の最大個数内でコンポーネントキャリア集約によりサポートすることができる第１の周波数帯域幅に関する情報を含み、前記端末特性情報は更に、前記端末がサポートすることができる第２の周波数帯域に関する情報、前記第２の周波数帯域内で前記端末によりサポート可能なコンポーネントキャリアの第２の最大個数を指示する情報、及び前記第２の最大個数内で前記端末がコンポーネントキャリア集約によりサポートすることができる第２の周波数帯域幅に対する情報を含む。
【００４５】
本発明の他の実施例は、多重コンポーネントキャリアシステムにおける制御情報の送信方法を提供する。前記方法は、端末（ＵＥ）が基地局（ＢＳ）から端末性能(ＵＥ ｃａｐａｂｉｌｉｔｙ)要求メッセージを受信し、及び前記端末が前記基地局に端末特性情報の集合(ｓｅｔ)を含む端末性能応答メッセージを送信することを含む。
【００４６】
前記端末特性情報の集合は、前記端末がサポートすることができる周波数帯域に関する情報、前記周波数帯域で前記端末によりサポート可能なコンポーネントキャリアの最大個数を指示する情報、前記最大個数内で前記端末のコンポーネントキャリア集約によりサポートすることができる周波数帯域幅に関する情報、及び前記端末により同時にサポート可能な周波数バンドの個数に等しい端末特性情報の集合の個数を含む。
【００４７】
本発明の他の実施例は、多重コンポーネントキャリアシステムにおける制御情報の受信方法を提供する。前記方法は、基地局（ＢＳ）が端末（ＵＥ）に端末性能(ＵＥ ｃａｐａｂｉｌｉｔｙ)要求メッセージを送信し、前記基地局が前記端末から端末特性情報の集合(ｓｅｔ)を含む端末性能応答メッセージを受信することを含む。
【００４８】
前記端末特性情報の集合は、前記端末がサポートすることができる周波数帯域に関する情報、前記周波数帯域内で前記端末によりサポート可能なコンポーネントキャリアの最大個数を指示する情報、前記最大個数内で前記端末のコンポーネントキャリア集約によりサポートすることができる周波数帯域幅に関する情報、及び前記端末により同時にサポート可能な周波数バンドの個数と同じ端末特性情報の集合の個数を含む。
【００４９】
本発明の他の実施例は、多重コンポーネントキャリアシステムにおける制御情報を送信する端末を提供する。前記端末は、基地局（ＢＳ）から端末性能(ＵＥ ｃａｐａｂｉｌｉｔｙ)要求メッセージを受信するメッセージ受信部、端末特性情報の集合を取得する情報取得部、及び前記基地局に端末特性情報の集合(ｓｅｔ)を含む端末性能応答メッセージを送信するメッセージ送信部を含む。
【００５０】
前記端末特性情報の集合は、前記端末がサポートすることができる周波数帯域に関する情報、前記周波数帯域で前記端末によりサポート可能なコンポーネントキャリアの最大個数を指示する情報、前記最大個数内で前記端末のコンポーネントキャリア集約によりサポートすることができる周波数帯域幅に関する情報、及び前記端末により同時にサポートされることができる周波数バンドの個数に等しい端末特性情報の集合の個数を含む。
【００５１】
本発明の他の実施例は、多重コンポーネントキャリアシステムにおける制御情報を受信する基地局（ＢＳ）を提供する。前記方法は、端末（ＵＥ）に端末性能(ＵＥ ｃａｐａｂｉｌｉｔｙ)要求メッセージを送信するメッセージ送信部、前記端末から端末特性情報の集合(ｓｅｔ)を含む端末性能応答メッセージを受信するメッセージ受信部、及び前記端末特性情報の集合を決定する情報分析部を含む。
【００５２】
前記端末特性情報の集合は、前記端末がサポートすることができる周波数帯域に関する情報、前記周波数帯域内で前記端末によりサポート可能なコンポーネントキャリアの最大個数を指示する情報、前記最大個数内で前記コンポーネントキャリア集約によりサポートすることができる周波数帯域幅に関する情報、及び前記端末により同時にサポートされることができる周波数バンドの個数に等しい端末特性情報の集合の個数を含む。
【００５３】
前記一般的な説明と下記の詳細な説明は、二つとも例示的であり、請求された本発明を具体的に説明するために提供されることにその目的があると理解しなければならない。他の特徴と側面は、下記の詳細な説明、図面及び請求項から明らかになる。
【発明の効果】
【００５４】
本発明によると、基地局は、電力調整に関する情報を得るための情報を端末に要求することができ、端末は、基地局により要求された情報を送信し、電力調整に関する情報の送受信手順が明確になる。また、既存の端末情報手順を用いて電力調整に関する情報が提供可能になるため、既存のシステム手順との互換性が維持可能になる。
【００５５】
本発明を理解するために下記で提供される図面は、本明細書に属して一部を構成し、本発明の実施例を説明し、詳細な説明と共に本発明の原則を説明することを助ける。
図面と詳細な説明にわたって、明示されていなくても、同一の図面の参照符号は、同一の要素、特徴、及び構造を意味すると理解されなければならない。このような要素の相対的な大きさと図示は、明瞭性、説明、及び便宜のために誇張することができる。
【図面の簡単な説明】
【００５６】
【図１】一実施形態に係る無線通信システムを示す。
【図２】一実施形態に係るバンド内(ｉｎｔｒａ−ｂａｎｄ)隣接(ｃｏｎｔｉｇｕｏｕｓ)搬送波集約を説明する説明図である。
【図３】一実施形態に係るバンド内非隣接(ｎｏｎ−ｃｏｎｔｉｇｕｏｕｓ)搬送波集約を説明する説明図である。
【図４】一実施形態に係るバンド間(ｉｎｔｅｒ−ｂａｎｄ)搬送波集約を説明する説明図である。
【図５】多重搬送波システムにおいて、ＤＬＣＣ（ダウンリンクコンポーネントキャリア）とＵＬＣＣ（アップリンクコンポーネントキャリア）との間の接続設定(ｌｉｎｋａｇｅ)を示す。
【図６】パワーヘッドルーム（ＰＨ）を、一実施形態に係る時間−周波数軸で示したグラフの一例である。
【図７】パワーヘッドルーム（ＰＨ）を、一実施形態に係る時間−周波数軸で示したグラフの他の例である。
【図８】一実施形態に係る無線通信システムにおいて、基地局のアップリンクスケジューリングが端末の送信電力に及ぼす影響を示す概念図である。
【図９】一実施形態に係る多重コンポーネントキャリアシステムにおいて、電力調整量と最大送信電力を説明する説明図である。
【図１０】一実施形態に係る付随情報を説明する説明図である。
【図１１】一実施形態に係る付随情報を説明する説明図である。
【図１２】一実施形態に係る付随情報を説明する説明図である。
【図１３】一実施形態に係る電力調整に関する制御情報の送信方法を示す流れ図である。
【図１４】一実施形態に係る電力調整に関する制御情報の送信方法を示す流れ図である。
【図１５】一実施形態に係る端末の電力調整に関する制御情報の送信方法を示すフローチャートである。
【図１６】一実施形態に係る基地局の電力調整に関する制御情報の送信方法を示すフローチャートである。
【図１７】一実施形態に係る電力調整に関する情報からスケジューリングパラメータを設定する方法を説明するフローチャートである。
【図１８】一実施形態に係る多重コンポーネントキャリアシステムにおいて、端末と基地局を示すブロック図である。
【発明を実施するための形態】
【００５７】
以下、本明細書では、本発明の例示的な実施形態が示される図面を参考して、本発明を更に詳細に説明する。本発明は多くの異なる形態において実現することができ、ここで説明される実施形態に限定されると解釈されるべきでは無い。むしろ、これらの実施形態は、この開示が余すところなく、また、本発明の範囲を本発明の分野における当業者に完全に知らせるように提供される。図面において、階層及び領域の寸法及び相対的な大きさは、明瞭性のために誇張することができる。図面中の同じ符号は、同じ要素を示す。
【００５８】
本実施例の目的のために“Ｘ、Ｙ、及びＺのうち少なくとも一つ”は、Ｘのみ、Ｙのみ、Ｚのみ、又はこれらのうち二つ又はそれ以上の要素Ｘ、Ｙ、及びＺの組み合わせ(例えば、ＸＹＺ、ＸＹＹ、ＹＺ、ＺＺ)であると解釈することができることを理解しなければならない。
【００５９】
また、本明細書は、無線通信ネットワークを対象にして説明される。無線通信ネットワークで行われるタスクは、該当無線通信ネットワークを管轄するシステム、或いはネットワークを制御し、データを送信するシステム(例えば、基地局)において実行されても良く、また、前記タスクは、該当無線ネットワークに結合した端末で実行されても良い。
【００６０】
図１は、一実施形態に係る無線通信システムを示す。
【００６１】
図１を参照すると、無線通信システム１０は、音声、パケットデータなどのような多様な通信サービスを提供するために広く配置される。
【００６２】
無線通信システム１０は、少なくとも一つの基地局(Ｂａｓｅ Ｓｔａｔｉｏｎ；ＢＳ)１１を含む。各基地局１１は、特定の地理的領域(一般的にセル(ｃｅｌｌ)という)１５ａ、１５ｂ、１５ｃに対して通信サービスを提供する。また、セルは、複数の領域(セクターという)に分けられることができる。
【００６３】
端末(ｍｏｂｉｌｅ ｓｔａｔｉｏｎ；ＭＳ)１２は、固定されてもよいし、移動性を有してもよく、ＵＥ(ｕｓｅｒ ｅｑｕｉｐｍｅｎｔ)、ＭＴ(ｍｏｂｉｌｅ ｔｅｒｍｉｎａｌ)、ＵＴ(ｕｓｅｒ ｔｅｒｍｉｎａｌ)、ＳＳ(ｓｕｂｓｃｒｉｂｅｒ ｓｔａｔｉｏｎ)、無線機器(ｗｉｒｅｌｅｓｓ ｄｅｖｉｃｅ)、ＰＤＡ(ｐｅｒｓｏｎａｌ ｄｉｇｉｔａｌ ａｓｓｉｓｔａｎｔ)、無線モデム(ｗｉｒｅｌｅｓｓ ｍｏｄｅｍ)、携帯機器(ｈａｎｄｈｅｌｄ ｄｅｖｉｃｅ)等、他の用語で呼ばれることもある。
【００６４】
基地局１１は、種々の端末１２のそれぞれと通信する固定局(ｆｉｘｅｄ ｓｔａｔｉｏｎ)を意味し、ｅＮｏｄｅＢ(ｅｖｏｌｖｅｄ−ＮｏｄｅＢ：ｅＮＢ)、ＢＴＳ(Ｂａｓｅ Ｔｒａｎｓｃｅｉｖｅｒ Ｓｙｓｔｅｍ)、アクセスポイント(Ａｃｃｅｓｓ Ｐｏｉｎｔ)等、他の用語で呼ばれることもある。セルは、基地局１１がカバーする一部領域を示す包括的な意味と解釈されることが可能であって、メガセル、マクロセル、マイクロセル、ピコセル、フェムトセル等、セルの多様なカバレッジ領域を全部包括する意味である。
【００６５】
以下、ダウンリンク(ｄｏｗｎｌｉｎｋ)（ＤＬ）は基地局１１から端末１２への通信を意味し、アップリンク(ｕｐｌｉｎｋ)（ＵＬ）は端末１２から基地局１１への通信を意味する。この場合、ダウンリンクでは、送信機は基地局１１の一部分であり、受信機は端末１２の一部分である。また、アップリンクでは、送信機は端末１２の一部分であり、受信機は基地局１１の一部分である。または、場合によって、ダウンリンクは端末１２から基地局１１への通信を意味し、アップリンクは基地局１１から端末１２への通信を意味する。この場合、ダウンリンクでは、送信機は端末１２の一部分であり、受信機は基地局１１の一部分である。また、アップリンクでは、送信機は基地局１１の一部分であり、受信機は端末１２の一部分である。
【００６６】
無線通信システムでは、ＣＤＭＡ(Ｃｏｄｅ Ｄｉｖｉｓｉｏｎ Ｍｕｌｔｉｐｌｅ Ａｃｃｅｓｓ)、ＴＤＭＡ(Ｔｉｍｅ Ｄｉｖｉｓｉｏｎ Ｍｕｌｔｉｐｌｅ Ａｃｃｅｓｓ)、ＦＤＭＡ(Ｆｒｅｑｕｅｎｃｙ Ｄｉｖｉｓｉｏｎ Ｍｕｌｔｉｐｌｅ Ａｃｃｅｓｓ)、ＯＦＤＭＡ(Ｏｒｔｈｏｇｏｎａｌ Ｆｒｅｑｕｅｎｃｙ Ｄｉｖｉｓｉｏｎ Ｍｕｌｔｉｐｌｅ Ａｃｃｅｓｓ)、ＳＣ−ＦＤＭＡ(Ｓｉｎｇｌｅ Ｃａｒｒｉｅｒ−ＦＤＭＡ)、ＯＦＤＭ−ＦＤＭＡ、ＯＦＤＭ−ＴＤＭＡ、ＯＦＤＭ−ＣＤＭＡ等の種々の多重アクセス方式を使用することができる。アップリンク送信及びダウンリンク送信において、互いに異なる時間を使用して送信が実行されるＴＤＤ(Ｔｉｍｅ Ｄｉｖｉｓｉｏｎ Ｄｕｐｌｅｘ)方式が使用されることができ、又は互いに異なる周波数を使用して送信が行われるＦＤＤ(Ｆｒｅｑｕｅｎｃｙ Ｄｉｖｉｓｉｏｎ Ｄｕｐｌｅｘ)方式が使用されても良い。
【００６７】
端末とネットワークとの間の無線インターフェースプロトコル(ｒａｄｉｏ ｉｎｔｅｒｆａｃｅ ｐｒｏｔｏｃｏｌ)の階層は、通信システムで広く知られた開放型システム間相互接続(Ｏｐｅｎ Ｓｙｓｔｅｍ Ｉｎｔｅｒｃｏｎｎｅｃｔｉｏｎ；ＯＳＩ)モデルの下位３個階層に基づいてＬ１(第１の階層)、Ｌ２(第２の階層)、Ｌ３(第３の階層)に区分されることができる。
【００６８】
物理層（すなわち、第１の階層）は、上位にある媒体アクセス制御(Ｍｅｄｉｕｍ Ａｃｃｅｓｓ Ｃｏｎｔｒｏｌ；ＭＡＣ)階層とはトランスポートチャネル(ｔｒａｎｓｐｏｒｔ ｃｈａｎｎｅｌ)を介して接続されている。このトランスポートチャネルを介してＭＡＣと物理層との間のデータが移動する。また、互いに異なる物理層間（即ち、送信側と受信側の物理層間）は、物理チャネル(Ｐｈｙｓｉｃａｌ Ｃｈａｎｎｅｌ)を介してデータが移動する。物理層において、使用することが可能な幾つかの制御チャネルがある。物理制御情報を送信する物理ダウンリンク制御チャネル(ｐｈｙｓｉｃａｌ ｄｏｗｎｌｉｎｋ ｃｏｎｔｒｏｌ ｃｈａｎｎｅｌ；ＰＤＣＣＨ)は、端末に対して、ＰＣＨ(ｐａｇｉｎｇ ｃｈａｎｎｅｌ)とＤＬ−ＳＣＨ(ｄｏｗｎｌｉｎｋ ｓｈａｒｅｄ ｃｈａｎｎｅｌ)のリソース割当及びＤＬ−ＳＣＨと関連したＨＡＲＱ(ｈｙｂｒｉｄ ａｕｔｏｍａｔｉｃ ｒｅｐｅａｔ ｒｅｑｕｅｓｔ)情報を知らせる。ＰＤＣＣＨは、端末に対して、アップリンク送信のリソース割当を知らせるアップリンクグラント(ｕｐｌｉｎｋ ｇｒａｎｔ)を伝送することができる。ＰＣＦＩＣＨ(ｐｈｙｓｉｃａｌ ｃｏｎｔｒｏｌ ｆｏｒｍａｔ ｉｎｄｉｃａｔｏｒ ｃｈａｎｎｅｌ)は、端末にＰＤＣＣＨに使われるＯＦＤＭシンボルの数を端末に知らせ、フレーム毎に送信される。ＰＨＩＣＨ(ｐｈｙｓｉｃａｌ Ｈｙｂｒｉｄ ＡＲＱ Ｉｎｄｉｃａｔｏｒ Ｃｈａｎｎｅｌ)は、アップリンク送信の応答としてＨＡＲＱ ＡＣＫ/ＮＡＫ信号を伝送する。ＰＵＣＣＨ(Ｐｈｙｓｉｃａｌ ｕｐｌｉｎｋ ｃｏｎｔｒｏｌ ｃｈａｎｎｅｌ)は、ダウンリンク送信に対するＨＡＲＱ ＡＣＫ/ＮＡＫ、スケジューリング要求及びチャネル品質情報（Ｃｈａｎｎｅｌ Ｑｕａｌｉｔｙ Ｉｎｆｏｒｍａｔｉｏｎ：ＣＱＩ）のようなアップリンク制御情報を伝送する。ＰＵＳＣＨ(Ｐｈｙｓｉｃａｌ ｕｐｌｉｎｋ ｓｈａｒｅｄ ｃｈａｎｎｅｌ)は、ＵＬ−ＳＣＨ(ｕｐｌｉｎｋ ｓｈａｒｅｄ ｃｈａｎｎｅｌ)を伝送する。
【００６９】
端末がＰＵＣＣＨ又はＰＵＳＣＨを送信する状況は、以下の通りである。
【００７０】
端末は、ＣＱＩ、又は測定された空間チャネル情報に基づいて選択したＰＭＩ(Ｐｒｅｃｏｄｉｎｇ Ｍｅｔｒｉｘ Ｉｎｄｅｘ)に関する情報のうち少なくとも一つ以上の情報に基づいてＰＵＣＣＨを構成し、ＲＩ(Ｒａｎｋ Ｉｎｄｉｃａｔｏｒ)は、前記構成されたＰＵＣＣＨを基地局に周期的に送信する。また、端末は、ダウンリンクデータに関するＡＣＫ/ＮＡＣＫ(Ａｃｋｎｏｗｌｅｄｇｅｍｅｎｔ/ｎｏｎ−Ａｃｋｎｏｗｌｅｄｇｅｍｅｎｔ)に関する情報を、前記ダウンリンクデータを受信した後、一定の個数のサブフレーム以後に基地局に送信しなければならない。一例として、ｎ番目のサブフレームでダウンリンクデータを受信した場合、前記端末は、（ｎ＋４）番目のサブフレームで前記ダウンリンクデータに関するＡＣＫ/ＮＡＣＫ情報で構成されたＰＵＣＣＨを送信する。もし、基地局から割当を受けたＰＵＣＣＨ上にＡＣＫ/ＮＡＣＫ情報を全部送信することができない場合、又はＡＣＫ/ＮＡＣＫを送信することができるＰＵＣＣＨが基地局から割当られない場合、端末はＡＣＫ/ＮＡＣＫ情報をＰＵＳＣＨに載せて送ることができる。
【００７１】
無線データリンク階層（即ち、第２の階層）は、ＭＡＣ階層、ＲＬＣ階層、ＰＤＣＰ階層で構成される。ＭＡＣ階層は、論理チャネルとトランスポートチャネルとの間のマッピングを担当する階層である。ＲＬＣ階層から受信したデータを送信するために適切なトランスポートチャネルを選択し、制御情報をＭＡＣ ＰＤＵ(Ｐｒｏｔｏｃｏｌ Ｄａｔａ Ｕｎｉｔ)のヘッダ(ｈｅａｄｅｒ)に追加する。ＲＬＣ階層は、ＭＡＣの上位に位置し、データの信頼性のある送信をサポートする。また、ＲＬＣ階層は、無線区間に合う適切な大きさのデータを構成するために、上位階層から受信したＲＬＣ ＳＤＵ(Ｓｅｒｖｉｃｅ Ｄａｔａ Ｕｎｉｔ)を分割して連結する。受信機のＲＬＣ階層は、受信したＲＬＣ ＰＤＵから元来のＲＬＣ ＳＤＵを復旧するために、データの再結合(Ｒｅａｓｓｅｍｂｌｅ)機能をサポートする。ＰＤＣＰ階層は、パケット交換領域でのみ使われ、無線チャネルでパケットデータの送信効率を高めることができるようにＩＰパケットのヘッダを圧縮して送信することができる。
【００７２】
ＲＲＣ階層（すなわち、第３の階層）は、下位階層を制御する役割と共に、端末とネットワークとの間で無線リソース制御情報を交換する。端末の通信状態によってアイドルモード(Ｉｄｌｅ Ｍｏｄｅ)、ＲＲＣ接続モード(Ｃｏｎｎｅｃｔｅｄ Ｍｏｄｅ)等、多様なＲＲＣ状態が定義される。端末は、種々のＲＲＣ状態間転移が可能である。ＲＲＣ階層では、システム情報放送、ＲＲＣ接続管理手順、多重コンポーネントキャリア設定手順、無線ベアラ(Ｒａｄｉｏ Ｂｅａｒｅｒ)制御手順、セキュリティ手順、測定手順、移動性管理手順(ハンドオーバ)等、無線リソース管理と関連した多様な手順が定義される。
【００７３】
搬送波集約(ｃａｒｒｉｅｒ ａｇｇｒｅｇａｔｉｏｎ；ＣＡ)は、複数の搬送波をサポートする。スペクトラム集約又は帯域幅集約(ｂａｎｄｗｉｄｔｈ ａｇｇｒｅｇａｔｉｏｎ)とも呼ばれる。搬送波集約により束ねられる個別的な単位搬送波をコンポーネントキャリア(ｃｏｍｐｏｎｅｎｔ ｃａｒｒｉｅｒ；以下、ＣＣという)という。各ＣＣは、帯域幅と中心周波数により定義される。搬送波集約は、増加されるスループット(ｔｈｒｏｕｇｈｐｕｔ)をサポートし、広帯域ＲＦ(ｒａｄｉｏ ｆｒｅｑｕｅｎｃｙ)素子の導入による費用増加を防止し、既存システムとの互換性を保障するために導入されることである。例えば、５ＭＨｚ帯域幅を有する搬送波単位のグラニュラリティ(ｇｒａｎｕｌａｒｉｔｙ)として５個のＣＣが割り当てられる場合、最大２０Ｍｈｚの帯域幅をサポートすることができる。
【００７４】
ＣＣは、当該ＣＣの活性化可否によって１次(ｐｒｉｍａｒｙ)ＣＣ(以下、ＰＣＣという)と２次(ｓｅｃｏｎｄａｒｙ)ＣＣ(以下、ＳＣＣという)に分けることができる。ＰＣＣは、常に活性化されている搬送波であり、ＳＣＣは、特定の条件によって活性化/非活性化される搬送波である。「活性化」という言葉は、トラフィックデータの送信又は受信が行なわれたり、準備状態(ｒｅａｄｙ ｓｔａｔｅ)にあることを意味する。「非活性化」という言葉は、トラフィックデータの送信又は受信が不可能であり、測定や最小情報の送信/受信が可能であることを意味する。端末は、一つのＰＣＣのみを使用したり、ＰＣＣと共に一つ以上のＳＣＣを使用することができる。端末は、ＰＣＣ及び/又はＳＣＣを基地局から割当を受けることができる。
【００７５】
搬送波集約は、図２のようなバンド内(ｉｎｔｒａ−ｂａｎｄ)隣接(ｃｏｎｔｉｇｕｏｕｓ)搬送波集約、図３のようなバンド内非隣接(ｎｏｎ−ｃｏｎｔｉｇｕｏｕｓ)搬送波集約、また、図４のようなバンド間(ｉｎｔｅｒ−ｂａｎｄ)搬送波集約に分類することができる。
【００７６】
まず、図２を参照すると、バンド内隣接搬送波集約は、同一のバンド内で連続的なＣＣ間で形成される。例えば、集約されるＣＣであるＣＣ＃１,ＣＣ＃２,ＣＣ＃３,...,ＣＣ＃Ｎが互いに隣接する。
【００７７】
図３を参照すると、バンド内非隣接搬送波集約は、不連続的なＣＣ間に形成される。例えば、集約されるＣＣであるＣＣ＃１、ＣＣ＃２は、互いに特定の周波数によって離隔されて存在する。
【００７８】
図４を参照すると、バンド間搬送波集約は、複数のＣＣが存在する時、そのうち一つ以上のＣＣが異なる周波数帯域上で集約される形態である。例えば、集約されるＣＣであるＣＣ＃１はバンド(ｂａｎｄ)＃１に存在し、ＣＣ＃２はバンド＃２に存在する。
【００７９】
ダウンリンクに集約される搬送波の数とアップリンクに集約される搬送波の数は相違するように設定されることができる。ダウンリンクＣＣ数とアップリンクＣＣ数が同じである場合を対称的(ｓｙｍｍｅｔｒｉｃ)集約といい、その数が異なる場合を非対称的(ａｓｙｍｍｅｔｒｉｃ)集約という。
【００８０】
また、ＣＣの大きさ(即ち、帯域幅)は互いに異なってもよい。例えば、７０ＭＨｚ帯域の構成のために５個のＣＣが使われるとする時、５ＭＨｚ ＣＣ(ｃａｒｒｉｅｒ ＃０)＋２０ＭＨｚ ＣＣ(ｃａｒｒｉｅｒ ＃１)＋２０ＭＨｚ ＣＣ(ｃａｒｒｉｅｒ ＃２)＋２０ＭＨｚ ＣＣ(ｃａｒｒｉｅｒ ＃３)＋５ＭＨｚ ＣＣ(ｃａｒｒｉｅｒ ＃４)のように構成されることもできる。
【００８１】
以下、多重搬送波(ｍｕｌｔｉｐｌｅ ｃａｒｒｉｅｒ)システムとは、搬送波集約をサポートするシステムを意味する。多重搬送波システムにおいて、隣接搬送波集約及び/又は非隣接搬送波集約が使われることができ、また、対称的集約又は非対称的集約のいずれも使われることができる。
【００８２】
図５は、多重搬送波システムにおいて、ダウンリンクコンポーネントキャリアとアップリンクコンポーネントキャリアとの間の接続設定(ｌｉｎｋａｇｅ)を示す。
【００８３】
図５を参照すると、ダウンリンクで、ダウンリンクコンポーネントキャリア(以下、ＤＬ ＣＣという)Ｄ１、Ｄ２、Ｄ３が集約されて(ａｇｇｒｅｇａｔｅｄ)おり、アップリンクで、アップリンクコンポーネントキャリア(以下、ＵＬ ＣＣという)Ｕ１、Ｕ２、Ｕ３が集約されている。ここで、ＤｉはＤＬ ＣＣのインデックスであり、ＵｉはＵＬ ＣＣのインデックスである(ｉ＝１,２,３)。少なくとも一つのＤＬ ＣＣはＰＣＣであり、残りはＳＣＣである。同様に、少なくとも一つのＵＬ ＣＣはＰＣＣであり、残りはＳＣＣである。例えば、Ｄ１、Ｕ１はＰＣＣであり、Ｄ２、Ｕ２、Ｄ３、Ｕ３はＳＣＣである。
【００８４】
ＦＤＤシステムで、ＤＬ ＣＣとＵＬ ＣＣは１：１に接続設定され、Ｄ１はＵ１と、Ｄ２はＵ２と、Ｄ３はＵ３と、各々１：１に接続設定される。端末は、論理チャネルＢＣＣＨが送信するシステム情報又はＤＣＣＨが送信する端末専用ＲＲＣメッセージを介して、前記ＤＬ ＣＣとＵＬ ＣＣとの間の接続設定をする。各接続設定は、セルを特定して(ｃｅｌｌ ｓｐｅｃｉｆｉｃ)設定することもでき、端末を特定して(ＵＥ ｓｐｅｃｉｆｉｃ)設定することもできる。
【００８５】
図５は、ＤＬ ＣＣとＵＬ ＣＣとの間の１：１接続設定のみを例示したが、１：ｎ又はｎ：１の接続設定も成立することができることはもちろんである。また、コンポーネントキャリアのインデックスは、コンポーネントキャリアの順序又はこのコンポーネントキャリアの周波数帯域の位置に一致するものではない。
【００８６】
以下、パワーヘッドルーム(Ｐｏｗｅｒ Ｈｅａｄｒｏｏｍ；ＰＨ)に対して説明する。
【００８７】
パワーヘッドルームは、現在、端末がアップリンク送信に使用する電力以外に追加に使用することができる余分の電力を意味する。例えば、許容可能な範囲のアップリンク送信電力である最大送信電力が１０Ｗである端末を仮定する。また、現在、端末が１０ＭＨｚの周波数帯域で９Ｗの電力を使用すると仮定する。前記端末は、１Ｗを追加に使用することができるため、パワーヘッドルームは１Ｗとなる。
【００８８】
ここで、基地局が端末に２０ＭＨｚの周波数帯域を割り当てる場合、９Ｗ×２＝１８Ｗの電力が必要である。しかし、前記端末の最大電力が１０Ｗであるため、前記端末に２０ＭＨｚを割り当てる場合、前記端末は、前記周波数帯域を全部使用することができない、又は電力が足りなくて基地局が前記端末の信号を正確に受信することができない。このような問題を解決するために、端末はパワーヘッドルームが１Ｗであることを基地局に報告し、基地局がパワーヘッドルーム範囲内でスケジューリングすることができるようにする。このような報告をパワーヘッドルーム報告(Ｐｏｗｅｒ Ｈｅａｄｒｏｏｍ Ｒｅｐｏｒｔ；ＰＨＲ)という。
【００８９】
パワーヘッドルームは随時変わるため、周期的(Ｐｅｒｉｏｄｉｃ)パワーヘッドルーム報告方法が使われることができる。周期的パワーヘッドルーム報告方法によると、端末は、周期的タイマ(Ｐｅｒｉｏｄｉｃ ｔｉｍｅｒ)が満了すると、パワーヘッドルーム報告をトリガリング(ｔｒｉｇｇｅｒｉｎｇ)し、パワーヘッドルームが報告されると、周期的タイマを再駆動する。
【００９０】
また、端末が測定した経路損失(Ｐａｔｈ Ｌｏｓｓ；ＰＬ)推定値(Ｅｓｔｉｍａｔｅ)が一定基準値以上に変化した時も、パワーヘッドルーム報告はトリガリングされることができる。経路損失推定値は、ＲＳＲＰ(ｒｅｆｅｒｅｎｃｅ ｓｙｍｂｏｌ ｒｅｃｅｉｖｅｄ ｐｏｗｅｒ)に基づいて端末により測定される。
【００９１】
しかし、前記端末が測定した経路損失(Ｐａｔｈ Ｌｏｓｓ；ＰＬ)推定値(Ｅｓｔｉｍａｔｅ)が一定基準値以上に変化しても、最近のパワーヘッドルーム報告後に駆動されるパワーヘッドルーム報告制限タイマが満了しないと、パワーヘッドルーム報告はトリガリングされることができない。
【００９２】
パワーヘッドルーム(ＰＰＨ)は、数式１のように端末に設定された(ｃｏｎｆｉｇｕｒｅｄ)最大送信電力Ｐｍａｘとアップリンク送信に関して推定された電力Ｐｅｓｔｉｍａｔｅｄとの間の差で定義され、ｄＢで表現される。
【００９３】
【数１】
2013538028.tif 000003
【００９４】
パワーヘッドルーム(ＰＰＨ)は、残余電力(ｒｅｍａｉｎｉｎｇ ｐｏｗｅｒ)、又は余分電力(ｓｕｒｐｌｕｓ ｐｏｗｅｒ)と呼ばれることもある。即ち、基地局により設定された端末の最大送信電力から各コンポーネントキャリアで使用している送信電力の和である前記Ｐｅｓｔｉｍａｔｅｄを引くと、残りがＰＰＨ値となる。
【００９５】
一例として、Ｐｅｓｔｉｍａｔｅｄは、物理アップリンク共用チャネル(Ｐｈｙｓｉｃａｌ Ｕｐｌｉｎｋ Ｓｈａｒｅｄ ＣＨａｎｎｅｌ；以下、ＰＵＳＣＨという)の送信に関して推定された電力ＰＰＵＳＣＨに等しい。したがって、この場合、ＰＰＨは、数式２により求めることができる。
【００９６】
【数２】
2013538028.tif 000004
【００９７】
他の例として、Ｐｅｓｔｉｍａｔｅｄは、ＰＵＳＣＨの送信に対して推定された電力ＰＰＵＳＣＨと物理アップリンク制御チャネル(Ｐｈｙｓｉｃａｌ Ｕｐｌｉｎｋ Ｃｏｎｔｒｏｌ ＣＨａｎｎｅｌ；以下、ＰＵＣＣＨという)の送信に関して推定された電力ＰＰＵＣＣＨとの和に等しい。したがって、この場合、パワーヘッドルームは、数式３により求めることができる。
【００９８】
【数３】
2013538028.tif 000005
【００９９】
一実施形態において、数式３によるパワーヘッドルームを時間−周波数軸でグラフで表現すると、図６の通りである。。
【０１００】
図６を参照すると、端末に設定された最大送信電力Ｐｍａｘは、ＰＰＨ６０５、ＰＰＵＳＣＨ６１０、及びＰＰＵＣＣＨ６１５で構成される。即ち、ＰｍａｘからＰＰＵＳＣＨ６１０及びＰＰＵＣＣＨ６１５を引いた残りがＰＰＨ６０５と定義される。各電力は、送信時間区間(ｔｒａｎｓｍｉｓｓｉｏｎ ｔｉｍｅ ｉｎｔｅｒｖａｌ；ＴＴＩ)単位に計算される。
【０１０１】
もし、主サービングセル(ｐｒｉｍａｒｙ ｓｅｒｖｉｎｇ ｃｅｌｌ)がＰＵＣＣＨを送信することができるＵＬ ＰＣＣを保有する唯一のサービンセルであるとすると、副サービングセル(ｓｅｃｏｎｄａｒｙ ｓｅｒｖｉｎｇ ｃｅｌｌ)ではＰＵＣＣＨを送信することができないため、パワーヘッドルームは、数式２のように定められ、数式３により定められるパワーヘッドルームの報告方法に関するパラメータ及び動作は定義されない。
【０１０２】
一方、主サービングセルでは数式３により定められるパワーヘッドルームの報告方法に対する動作とパラメータが定義されることができる。もし、端末が基地局からアップリンクグラントを受信し、主サービングセルでＰＵＳＣＨを送信しなければならず、定められた規則により同一のサブフレームにＰＵＣＣＨを同時に送信する場合、端末は、パワーヘッドルーム報告がトリガリングされる時点に前記数式２及び数式３によるパワーヘッドルームを全部計算して基地局に送信する。
【０１０３】
多重コンポーネントキャリアシステムでは複数の設定されたＣＣに対して個別的にパワーヘッドルームを定義することができ、これを時間−周波数軸でグラフで表現すると、図７の通りである。
【０１０４】
図７を参照すると、端末に設定された最大送信電力Ｐｍａｘは、各ＣＣ＃１,ＣＣ＃２,...,ＣＣ＃Ｎに関する最大送信電力ＰＣＣ＃１、ＰＣＣ＃２,...,ＰＣＣ＃Ｎの和に等しい。各ＣＣ当たり最大送信電力を一般化すると、以下の数式４の通りである。
【０１０５】
【数４】
2013538028.tif 000006
【０１０６】
ＣＣ＃１のＰＰＨ７０５は、ＰＣＣ＃１−ＰＰＵＳＣＨ７１０−ＰＰＵＣＣＨ７１５に等しく、ＣＣ＃ｎのＰＰＨ７２０は、ＰＣＣ＃Ｎ−ＰＰＵＳＣＨ７２５−ＰＰＵＣＣＨ７３０に等しい。このように、多重コンポーネントキャリアシステムにおいて、端末に設定された最大送信電力は、各コンポーネントキャリアの最大送信電力を考慮しなければならない。したがって、多重コンポーネントキャリアシステムにおいて端末に設定された最大送信電力は、単一コンポーネントキャリアシステムでの最大送信電力とは異なって定義される。
【０１０７】
図８は、一実施形態に係る無線通信システムにおいて、基地局のアップリンクスケジューリングが端末の送信電力に及ぼす影響に対する概念図である。
【０１０８】
図８を参照すると、端末は、時間(又は、サブフレーム(ｓｕｂｆｒａｍｅ))ｔ０で基地局からアップリンクデータ送信を許可するアップリンクグラント(ｕｐｌｉｎｋ ｇｒａｎｔ)をＰＤＣＣＨを介して受信する。したがって、端末は、ｔ０で前記アップリンクグラントによって送信電力量を計算しなければならない。
【０１０９】
まず、時間ｔ０で、端末は、基地局から受信したＰＵＳＣＨ電力オフセット(ｐｏｗｅｒ ｏｆｆｓｅｔ)８００値、送信電力制御(ＴＰＣ)８０５値、及び基地局と端末との間の経路損失(ｐａｔｈ ｌｏｓｓ、以下、ＰＬという)８１０に加重値であるａ値(基地局から受信)を考慮して１次送信電力８２５を計算する。１次送信電力(１ｓｔ Ｔｘ Ｐｏｗｅｒ)８２５は、主に基地局と端末との間の経路環境により影響を受けるパラメータ及びネットワークのポリシー（ｐｏｌｉｃｙ）により決定されるパラメータによるものである。さらに、端末は、アップリンクグラントに含まれているＱＰＳＫ変調方式(ｍｏｄｕｌａｔｉｏｎ)及び１０個のリソースブロック(ｒｅｓｏｕｒｃｅ ｂｌｏｃｋ；ＲＢ)の割当を指示するスケジューリングパラメータ８１５を考慮して２次送信電力(２ｎｄ Ｔｘ Ｐｏｗｅｒ)８３０を計算する。２次送信電力８３０は、基地局のアップリンクスケジューリングを介して変更される送信電力である。
【０１１０】
したがって、端末は、１次送信電力８２５及び２次送信電力８３０を合算して最終アップリンク送信電力を計算することができる。ここで、前記最終アップリンク送信電力は、設定された端末の最大送信電力(ｃｏｎｆｉｇｕｒｅｄ ｍａｘｉｍｕｍ ＵＥ ｔｒａｎｓｍｉｔ ｐｏｗｅｒ、ＰＣｍａｘ)を超過することができない。前記図８の例では、最終送信電力がＰＣｍａｘ値より小さいため、設定されたパラメータに準するアップリンク情報の送信がｔ０の時間において可能である。また、追加に設定することができる送信電力に関する余裕分であるパワーヘッドルーム(ｐｏｗｅｒ ｈｅａｄｒｏｏｍ)８２０が存在するようになる。前記パワーヘッドルーム８２０は、無線通信システムで定めた規則により端末が基地局に送信する。
【０１１１】
時間ｔ１で、基地局は、パワーヘッドルーム８２０の情報に基づいて端末に追加に設定可能な送信電力を考慮し、スケジューリングパラメータ８１５を、１６ＱＡＭ変調方式及び５０個のリソースブロックの割当を指示するスケジューリングパラメータ８５０に変更する。端末は、スケジューリングパラメータ８５０によって２次送信電力８６５を再設定するようになる。ｔ１での１次送信電力８６０は、ＰＵＳＣＨ電力オフセット(ｐｏｗｅｒ ｏｆｆｓｅｔ)８３５値、送信電力制御(ＴＰＣ)８４０値、及び基地局と端末との間のＰＬ８４５に加重値であるａ値(基地局から受信)を考慮して決定される。ここでは、ｔ１での1次送信電力８６０がｔ０での１次送信電力８２５の同じであると仮定する。
【０１１２】
時間ｔ１で、ＰＣｍａｘがＰＣｍａｘ_Ｌに近い値に変更されることに対し、スケジューリングパラメータ８５０により要求される２次送信電力８６５と１次送信電力８６０との和はＰＣｍａｘを超過する。即ち、‘ＰＣｍａｘ_Ｈ−ＰＣｍａｘ’に相当するパワーヘッドルーム推定値エラー８５５が発生する。このようにパワーヘッドルーム情報のみに基づいてアップリンクリソースに関するスケジューリングが実行される場合、端末は、基地局が期待するアップリンク送信電力を設定することができないため、性能劣化が発生するようになる。コンポーネントキャリア集約方法を使用する場合、パワーヘッドルーム推定値エラー８５５はさらに大きくなる。したがって、端末は、電力調整(Ｐｏｗｅｒ Ｃｏｏｒｄｉｎａｔｉｏｎ；ＰＣ)を通じて、設定された最大送信電力を減少させることができる。
【０１１３】
単一コンポーネントキャリアシステムでも、多重コンポーネントキャリアシステムでも、端末に設定された最大送信電力は、端末の電力調整により影響を受ける。「電力調整」とは、端末に設定されたアップリンク最大送信電力を許容された一定の範囲内で減少させることを意味し、最大電力減少(Ｍａｘｉｍｕｍ Ｐｏｗｅｒ Ｒｅｄｕｃｔｉｏｎ；ＭＰＲ)と呼ばれることもある。また、電力調整により減少される電力量を電力調整量という。端末に設定された最大送信電力を減少させる理由は、以下の通りである。
【０１１４】
アップリンク送信帯域幅が決定されると、該当信号は、フィルタにより設定された帯域幅においてのみ信号を送信するように制御される。このとき、帯域幅の広さが広いほどフィルタを構成するタブ（ｔａｂ）(例えば、レジスタ)の個数が増えるようになる。理想的なフィルタ特性を満たすためには、たとえ、同一の帯域幅であるとしても、フィルタの設計複雑度及び大きさは増加する。
【０１１５】
したがって、フィルタの特性によりアップリンク送信が実行されるべきでない帯域に対する干渉電力が発生することができる。このような干渉電力を減らすためには、電力調整を介して最大送信電力を減らすことで、発生する干渉電力を減少させる必要がある。
【０１１６】
電力調整を考慮した最大送信電力の範囲は、以下の数式と通りである。
【０１１７】
【数５】
2013538028.tif 000007
【０１１８】
ここで、Ｐｍａｘは端末に設定された最大送信電力であり、Ｐｍａｘ−ＬはＰｍａｘの最小値であり、Ｐｍａｘ−ＨはＰｍａｘの最大値である。より具体的に、Ｐｍａｘ−ＬとＰｍａｘ−Ｈは、各々、以下の数式により計算される。
【０１１９】
【数６】
2013538028.tif 000008
【０１２０】
【数７】
2013538028.tif 000009
【０１２１】
ここで、ＭＩＮ[ａ,ｂ］はａとｂのうち小さい値であり、ＰＥｍａｘは基地局のＲＲＣシグナリングにより決定される最大電力であり、△ＴＣは帯域のエッジ(ｅｄｇｅ)でアップリンク送信がある場合に適用される電力量であり、帯域幅によって１.５ｄＢ又は０ｄＢを有する。Ｐｐｏｗｅｒｃｌａｓｓは、システムで多様な端末の仕様をサポートするために定義した数個の電力クラス(ｐｏｗｅｒ ｃｌａｓｓ)による電力値である。一般的に、ＬＴＥシステムでは電力クラス３をサポートし、電力クラス３によるＰｐｏｗｅｒｃｌａｓｓは２３ｄＢｍである。ＰＣは電力調整量であり、ＡＰＣ(Ａｄｄｉｔｉｏｎａｌ Ｐｏｗｅｒ Ｃｏｏｒｄｉｎａｔｉｏｎ)は基地局によりシグナリングされる追加的な電力調整量である。
【０１２２】
電力調整は、特定の範囲(ｒａｎｇｅ)に設定されてもよく、特定の定数に設定されてもよい。電力調整は、端末単位に定義されてもよく、各ＣＣ単位に定義されてもよく、各ＣＣ単位内で再び範囲又は定数に設定されてもよい。また、電力調整は、各ＣＣのＰＵＳＣＨリソース割当が連続的か非連続的かによって、範囲又は定数に設定されてもよい。また、電力調整は、ＰＵＣＣＨ存在可否によって範囲又は定数に設定されてもよい。
【０１２３】
図９は、本発明の一例に係る多重コンポーネントキャリアシステムにおいて、電力調整量と最大送信電力を説明する説明図である。説明の便宜上、端末には一つのＵＬ ＣＣのみが割り当てられていると仮定する。
【０１２４】
図９を参照すると、△ＴＣ＝０と仮定する時、最大送信電力(Ｐｍａｘ)の最大値(Ｐｍａｘ−Ｈ)は、電力クラス３に該当する２３ｄＢｍである。最大送信電力(Ｐｍａｘ)の最小値(Ｐｍａｘ−Ｌ)は、最大値(Ｐｍａｘ−Ｈ)から電力調整量(ＰＣ)９００と追加的な電力調整量(ＡＰＣ)９０５を引いた値である。即ち、端末は、電力調整量(ＰＣ)９００と追加的な電力調整量(ＡＰＣ)９０５を用いて最大送信電力(Ｐｍａｘ)の最小値(Ｐｍａｘ−Ｌ)を減少させる。最大送信電力(Ｐｍａｘ)は、最大値(Ｐｍａｘ−Ｈ)と最小値(Ｐｍａｘ−Ｌ)との間で決定される。
【０１２５】
一方、アップリンク送信電力９３０は、帯域幅(ＢＷ)、ＭＣＳ、ＲＢにより決定される電力９１５、経路損失(ＰＬ)９２０、及びＰＵＳＣＨ送信電力制御(ＰＵＳＣＨ ＴＰＣｓ)９２５の和である。パワーヘッドルーム(ＰＨ)９１０は、最大送信電力(Ｐｍａｘ)からアップリンク送信電力９３０を引いた値である。
【０１２６】
図９では一つのＵＬ ＣＣのみが説明されているが、複数のＵＬ ＣＣが割り当てられた場合、最大送信電力はＵＬ ＣＣ単位では無く端末単位に与えられ、端末単位の最大送信電力は、全てのＵＬ ＣＣに関するそれぞれの最大送信電力の和で与えられることができる。
【０１２７】
最大送信電力の計算において、ＰＥｍａｘ、△ＴＣ、Ｐｐｏｗｅｒｃｌａｓｓ、追加的な電力調整量(ＡＰＣ)は、基地局が知ったり、知ることができる情報である。しかし、基地局は、電力調整量(ＰＣ)を知ることができないため、基地局は電力調整量(ＰＣ)による最大送信電力も正確に知ることができない。ただし、端末がパワーヘッドルームを基地局に報告した時、基地局は、パワーヘッドルームを介して最大送信電力がどの程度の範囲かを推定することができる。基地局は、推定された最大送信電力に基づいて不確実なアップリンクスケジューリングを実行するため、最悪の場合、端末に対して最大送信電力以上の送信電力を要求する変調/チャネル帯域幅/ＲＢでスケジューリングすることもできる。このような問題は、多重コンポーネントキャリアシステムにおいてさらに厳しくなる。
【０１２８】
また、端末の固有な特性情報(ｃｈａｒａｃｔｅｒｉｓｔｉｃ ｉｎｆｏｒｍａｔｉｏｎ)に基づくハードウェア構成に基づいて現在送信すべき信号の形態によって最大送信電力が制限されなければならない場合も発生する。端末内のハードウェア構成は、ＲＦ(Ｒａｄｉｏ Ｆｒｅｑｕｅｎｃｙ)処理部を含み、ＲＦチェーン(ｃｈａｉｎ)と呼ばれることもある。以下、用語の統一のために、前記端末内のハードウェア構成は、ＲＦチェーンと称する。ＲＦチェーンは、前記端末内のハードウェア構成のうち、パワーアンプ(Ｐｏｗｅｒ Ａｍｐｌｉｆｉｅｒ)、フィルタ(ｆｉｌｔｅｒ)、アンテナ(ａｎｔｅｎｎａ)の組み合わせを含む。また、ＲＦチェーンは、パワーアンプ、フィルタ、アンテナの各々により定義されてもよい。ＲＦチェーンは、一つの端末に一つ構成されることもでき、複数個で構成されることもできる。例えば、一つの端末が一つのアンテナを具備しており、前記アンテナは第１のフィルタと連結された第１のパワーアンプと連結されており、同時に前記アンテナが第２のフィルタと連結された第２のパワーアンプと連結される場合、前記一つの端末は、二つのＲＦチェーンを構成する。
【０１２９】
コンポーネントキャリアが複数個存在する場合及び/又はＲＦチェーンが一つ以上存在する場合、これらの組み合わせにより形成される通信環境は相当多様であり、アップリンクスケジューリングの場合の数も相当多い。これは電力調整の変化量(ｖａｒｉａｎｃｅ)も予測しにくい程度に大きく多様であることを意味する。したがって、アップリンクスケジューリングパラメータ(変調方式、チャネル帯域幅、ＲＢ個数等)だけでなく、ＲＦチェーンのような端末のハードウェア特性及び多重コンポーネントキャリアを考慮し、多様な場合の数による電力調整の範囲が新しく設計される必要がある。
【０１３０】
基地局が端末の電力調整に関する情報を取得する方式は多様である。一例として、全ての通信環境に関して端末がサポートする電力調整に関する情報を直接的に基地局が端末から受ける手法がある。他の例として、端末と基地局との間で全ての場合の端末の電力調整に関する情報をインデックシング(ｉｎｄｅｘｉｎｇ)化して知っている状態で、基地局が特定したインデックスのみを前記基地局が端末から受ける手法がある。また、他の例として、電力調整の範囲を決定して間接的に電力調整に関する情報を認知する(ａｗａｒｅ)する端末に固有な特性情報を、基地局が前記端末から受ける(ａｗａｒｅ)手法がある。
【０１３１】
基地局は、前記手法のうちいずれを用いても電力調整に関する情報を知ることができる。ただし、電力調整に関する情報を取得する手法において相違がある。各手法によって、端末が送信する情報の構成は異なる。したがって、基地局は、まず、電力調整の範囲を取得する手法を特定し、前記端末は、前記特定された手法による構成によって情報を提供することが可能としても良い。
【０１３２】
基地局は、電力調整に関する情報を得る目的として、付随情報(Ｓｕｂｓｉｄｉａｒｙ Ｉｎｆｏｒｍａｔｉｏｎ；ＳＩ)を端末に要求することができる。このとき、使われるメッセージを付随情報要求メッセージ(Ｒｅｑｕｅｓｔ Ｍｅｓｓａｇｅ)という。付随情報は、基地局が電力調整に関する情報を直接的に知るために又は間接的に類推するために使用される付随的に必要な情報である。即ち、付随情報は、電力調整に関する情報を導き出すための制御情報である。付随情報は、電力調整に関する制御情報と呼ばれることもある。付随情報は、後述される端末情報手順(ＵＥ Ｉｎｆｏｒｍａｔｉｏｎ Ｐｒｏｃｅｄｕｒｅ)で使われる既存のメッセージに付随的に含まれることができる。
【０１３３】
また、前記基地局が、端末のハードウェア能力に関する情報を含む付随情報を要求して取得するために、端末と端末性能転送手順(ＵＥ Ｃａｐａｂｉｌｉｔｙ Ｔｒａｎｓｆｅｒ Ｐｒｏｃｅｄｕｒｅ)を実行する。ここで、付随情報は、端末性能情報(ＵＥ Ｃａｐａｂｉｌｉｔｙ Ｉｎｆｏｒｍａｔｉｏｎ)と呼ばれることもある。
【０１３４】
前記付随情報要求メッセージに対する応答として、端末は、付随情報を基地局に提供することができ、このとき、前記付随情報を含むメッセージを付随情報応答メッセージ(Ｒｅｓｐｏｎｓｅ Ｍｅｓｓａｇｅ)という。
【０１３５】
以下、付随情報、付随情報要求メッセージ、及び付随情報応答メッセージに関してさらに詳細に説明する。
【０１３６】
１．付随情報(Ｓｕｂｓｉｄｉａｒｙ Ｉｎｆｏｒｍａｔｉｏｎ)
【０１３７】
(１)  一例として、付随情報は、端末のハードウェア構成に関する特性情報(Ｃｈａｒａｃｔｅｒｉｓｔｉｃ Ｉｎｆｏｒｍａｔｉｏｎ)を含む。前記ハードウェア構成は、ＲＦチェーンを含む。また、特性情報は、端末がサポート可能なＲＦチェーンの個数、周波数帯域特性などを提供する情報である。
【０１３８】
図１０は、本発明の一例に係る付随情報を説明する説明図である。これは付随情報が端末のＲＦチェーン自体に関する特性情報である場合を示す。
【０１３９】
図１０を参照すると、端末に構成されたＲＦチェーンが２個(ＲＦチェーン１、ＲＦチェーン２)である。ＲＦチェーン自体の特性情報は、前記端末によるサポート可能(ｓｕｐｐｏｒｔａｂｌｅ)帯域(ｂａｎｄ)及びサポート可能帯域幅(ｂａｎｄｗｉｄｔｈ)に関する情報を含む。
【０１４０】
周波数帯域上でのＲＦチェーン１のサポート可能帯域は７００ＭＨｚであり、サポート可能帯域幅は１００ＭＨｚである。一方、ＲＦチェーン２のサポート可能帯域は２ＧＨｚであり、サポート可能帯域幅は４０ＭＨｚである。このように、ＲＦチェーン毎に特性情報が異なり、これは特性情報の相違が電力調整の範囲に相違をもたらすことがすることができることを意味する。もし、基地局と端末が全ての場合のＲＦチェーンの特性情報による電力調整の範囲を知っている場合、ＲＦチェーンの特性情報のみ送受信することによって電力調整の前記範囲を知ることができる。
【０１４１】
表１は、本発明の一例に係る付随情報である。
【０１４２】
【表１】
2013538028.tif 000010
【０１４３】
表１を参照すると、付随情報は、テーブル(ｔａｂｌｅ)形式であり、特性情報の集合(ｓｅｔ)である。各テーブルのインデックスは、特定状態の特性情報を示す。例えば、テーブルインデックス１の特性情報は、端末のＲＦチェーンの個数が２であり、ＲＦチェーン１及び２のサポート可能帯域が各々７００ＭＨｚと２ＧＨｚであり、ＲＦチェーン１及び２のサポート可能帯域幅が各々１０ＭＨｚと１０ＭＨｚである場合を示す。このように、付随情報は、端末のＲＦチェーン自体に関する情報である。各ＲＦチェーンのサポート可能帯域と帯域幅を示す付随情報は、具体的には端末と前記基地局との間の通信のためのアップリンク動作(ｏｐｅｒａｔｉｎｇ)周波数帯域及びダウンリンク動作周波数帯域を識別する情報を含む。
【０１４４】
図１１は、本発明の他の例に係る付随情報を説明する説明図である。これは付随情報がハードウェア構成でサポートされるＣＣに関する特性情報である場合である。ここで、前記ＣＣは、現在端末に設定されたＣＣである。
【０１４５】
図１１を参照すると、端末に構成されたＲＦチェーンが２個(ＲＦチェーン１、ＲＦチェーン２)である。ＲＦチェーン１のサポート可能帯域は７００ＭＨｚであり、サポート可能帯域幅は１００ＭＨｚである。一方、ＲＦチェーン２のサポート可能帯域は２ＧＨｚであり、サポート可能帯域幅は４０ＭＨｚである。
【０１４６】
もし、端末に少なくとも一つのＣＣが設定されている場合、各ＣＣは、特性情報によって少なくとも一つのＲＦチェーンでサポートされなければならない。各ＲＦチェーンは、特定のインデックスのＣＣをサポートする。端末に設定されたＤＬ ＣＣ０、ＤＬ ＣＣ４、ＵＬ ＣＣ０、ＵＬ ＣＣ４、ＤＬ ＣＣ１に対し、ＲＦチェーン１はＤＬ ＣＣ０、ＤＬ ＣＣ４、ＵＬ ＣＣ０、及びＵＬ ＣＣ４をサポートし、ＲＦチェーン２はＤＬ ＣＣ１のみをサポートする。各ハードウェア構成でサポートされるＣＣに関する情報も特性情報として定義されることができる。即ち、特性情報は、各ＲＦチェーンがサポートするＣＣの個数及び各ＣＣのインデックスに関する情報を含む。
【０１４７】
表２は、本発明の他の例に係る付随情報である。
【０１４８】
【表２】
2013538028.tif 000011
【０１４９】
表２を参照すると、付随情報は、特性情報の集合で形成される。各テーブルのインデックスは、特定状態の特性情報を示す。例えば、テーブルインデックス１の特性情報は、端末のＲＦチェーンの個数は２であり、各ＲＦチェーンのサポート可能帯域が各々７００ＭＨｚと２ＧＨｚであり、各ＲＦチェーンのサポート可能帯域幅が各々１０ＭＨｚと１０ＭＨｚである。このように、各ＲＦチェーンのサポート可能帯域と帯域幅を示す付随情報は、具体的には端末と前記基地局との間の通信のためのアップリンク動作(ｏｐｅｒａｔｉｎｇ)周波数帯域及びダウンリンク動作周波数帯域を識別する情報を含む。
【０１５０】
ここで、端末に複数のＲＦチェーンが構成される場合、ＲＦチェーンのサポート可能帯域とサポート可能帯域幅は、結局、端末がサポート可能な周波数帯域の組み合わせとなる。例えば、テーブルインデックスＮの場合、ＲＦチェーン１、２及び３のサポート可能帯域が各々７００ＭＨｚ、２ＧＨｚ、３ＧＨｚであり、これは端末がサポート可能な周波数帯域を全部示した最大組み合わせ情報(ｍａｘＢａｎｄＣｏｍｂ)である。即ち、最大組み合わせ情報は、端末のＲＦチェーンの個数に基づいて導出される。最大組み合わせ情報は、端末が同時にサポート可能な組み合わせに関する情報をさらに含むことができる。また、最大組み合わせ情報は、端末が同時にサポート可能な組み合わせの個数に関する情報をさらに含むことができる。
【０１５１】
一方、ＲＦチェーン１がサポート可能なＣＣの最大個数が４個であり、ＲＦチェーン２がサポート可能なＣＣの最大個数が１個であり、ＲＦチェーン１は{ＣＣ０,ＣＣ１,ＣＣ２,ＣＣ３}をサポートし、ＲＦチェーン２は{ＣＣ４}をサポートする場合を示す。各ＲＦチェーンのサポート可能帯域及びサポート可能帯域幅は、各ＲＦチェーンがサポート可能なＣＣの集約により形成される。このように、端末がサポート可能なＣＣの最大個数とサポート可能な帯域幅により定義されるものを帯域幅クラスという。帯域幅クラスは、表２のように端末がサポート可能なＣＣの最大個数とサポート可能な帯域幅を指示するテーブルインデックスとして指示されることができる。
【０１５２】
表１と比較する時、表２による特性情報は、周波数帯域及び帯域幅のようなＲＦチェーン自体の特性情報だけでなく、各ＲＦチェーンでサポート可能なＣＣの最大個数情報及び各ＲＦチェーンでサポートされるＣＣのインデックス情報をさらに含む。
【０１５３】
表３は、本発明の他の例に係る付随情報である。
【０１５４】
【表３】
2013538028.tif 000012
【０１５５】
表３の特性情報は、表２による特性情報と違って、端末に構成されたＲＦチェーンの個数及び各ＲＦチェーンで現在サポート中であるＣＣのインデックス情報のみを含む。即ち、表３の特性情報は、サポート可能帯域及びサポート可能帯域幅のようなＲＦチェーン自体の特性情報を含まない。
【０１５６】
図１２は、本発明の他の例に係る付随情報を説明する説明図である。図１２は、付随情報が、現在設定されたＣＣをＲＦチェーンがサポートするＤＬ ＣＣとＵＬ ＣＣのインデックス及びＣＣの特性値によるサポート可能なＲＦチェーンの特性情報である場合を示す。
【０１５７】
図１２を参照すると、端末に構成されたＲＦチェーンが２個(ＲＦチェーン１、ＲＦチェーン２)である。ＲＦチェーン１のサポート可能帯域は７００ＭＨｚであり、サポート可能帯域幅は１００ＭＨｚである。一方、ＲＦチェーン２のサポート可能帯域は２ＧＨｚであり、サポート可能帯域幅は４０ＭＨｚである。
【０１５８】
端末に設定された既存のＣＣがＤＬ ＣＣ０、ＵＬ ＣＣ０、ＤＬ ＣＣ１である状態で、もし、基地局により要求されたＣＣ(Ｒｅｑｕｅｓｔｅｄ ＣＣ)がＤＬ ＣＣ４、ＵＬ ＣＣ４の時、端末は、前記要求されたＣＣをサポート可能なＲＦチェーンに関する特性情報を提供する。
【０１５９】
図１２に表示されている要求されたＣＣのインデックスは、説明の便宜上挿入されたものであり、端末ではＣＣ特性値(中心周波数、帯域幅等)のみを考慮してサポート可能なＲＦチェーンを決定することができる。また、該当端末のＲＦチェーンがサポート可能でない場合、端末は基地局にＲＦチェーンがサポート不可能であることを知らせることができる。
【０１６０】
ＲＦチェーン自体の特性情報は、サポート可能帯域及びサポート可能帯域幅に関する情報をさらに含むことができる。
【０１６１】
他の例として、付随情報は、電力調整に対する情報である。例えば、電力調整に関する情報は、特定状態のスケジューリングパラメータの割当を受けた端末に対して要求される電力調整の量又は範囲を直接的に明示する形式の情報である。
【０１６２】
スケジューリングパラメータは、変調(ｍｏｄｕｌａｔｉｏｎ)、チャネル帯域幅(ｃｈａｎｎｅｌ ｂａｎｄｗｉｄｔｈ)、リソースブロックの個数のうち少なくとも一つを含む情報である。特定状態のスケジューリングパラメータとは、それぞれのスケジューリングパラメータに特定の値を適用した場合のスケジューリングパラメータを意味する。例えば、以下の表４は、特定状態のスケジューリングパラメータの一例である。
【０１６３】
【表４】
2013538028.tif 000013
【０１６４】
表４を参照すると、特定状態のスケジューリングパラメータは、シーケンス(ｓｅｑｕｅｎｃｅ)０、シーケンス１、シーケンス２のうちいずれか一つである。シーケンス０である場合にそれぞれのスケジューリングパラメータにどのような特定の値が適用されるかを見ると、シーケンス０は、変調方式がＱＰＳＫである状態で１.４ＭＨｚのチャネル帯域幅と５個以上のリソースブロックの個数を割り当てる状態を含む。また、変調方式がＱＰＳＫである状態で３.０ＭＨｚのチャネル帯域幅と５以上のリソースブロックの個数を割り当てる状態もシーケンス０に該当する。このような方式により、６個の特定状態のスケジューリングパラメータがシーケンス０に該当する。
【０１６５】
また、変調方式が１６ＱＡＭ(Ｑｕａｄｒａｔｕｒｅ Ａｍｐｌｉｔｕｄｅ Ｍｏｄｕｌａｔｉｏｎ)である状態で、特定のチャネル帯域幅と特定のリソースブロックの個数に基づく特定状態のスケジューリングパラメータは、シーケンス１又はシーケンス２に該当する。
【０１６６】
同一のシーケンスに属する特定状態のスケジューリングパラメータの全ては、電力調整の同一の量又は範囲にマッピングされ、異なるシーケンスに属する特定状態のスケジューリングパラメータは互いに異なる電力調整の量又は範囲にマッピングされても良い。即ち、シーケンスは、電力調整の同一の量又は範囲にマッピングされる特定状態のスケジューリングパラメータの集合を示す。これに対する一例は、表５の通りである。
【０１６７】
【表５】
2013538028.tif 000014
【０１６８】
表５を参照すると、シーケンス０に該当する特定状態のスケジューリングパラメータは、１ｄＢ以下範囲の電力調整量(ＰＣ)にマッピングされ、シーケンス１に該当する特定状態のスケジューリングパラメータは、２ｄＢ以下範囲の電力調整量にマッピングされ、シーケンス２に該当する特定状態のスケジューリングパラメータは、３ｄＢ以下範囲の電力調整量にマッピングされる。
【０１６９】
電力調整に関する情報は、テーブル(ｔａｂｌｅ)、インデックス(ｉｎｄｅｘ)、及び幾つかの情報要素(ｉｎｆｏｒｍａｔｉｏｎ ｅｌｅｍｅｎｔ)の集合のような多様な形式で構成されることができる。
【０１７０】
一例として、電力調整に関する情報は、端末のためのアップリンクスケジューリングに関するパラメータ、前記端末に設定されるコンポーネントキャリアの個数及び前記端末にサポートされるＲＦの個数により形成される全ての条件と、前記全ての条件の各々に関する電力調整の量又は範囲の間におけるマッピング関係を示すテーブル形式に構成されることができる。
【０１７１】
以下の表は、電力調整に関する情報をテーブルで構成した例である。これは端末の集約可能なＣＣの個数が総５個、電力クラスが３であり、サポート可能なＲＦが２個である場合である。
【０１７２】
【表６】
2013538028.tif 000015
【０１７３】
表６を参照すると、＃ＣＣｓは端末に集約可能なＣＣの総計のうち実際設定されたＣＣの個数であり、＃ＲＦはサポート可能な全体ＲＦのうち実際使われるＲＦの個数である。表２は、端末に関するＣＣの個数、ＲＦの個数、変調(ｍｏｄｕｌａｔｉｏｎ)スキーム、チャネル帯域幅(ｃｈａｎｎｅｌ ｂａｎｄｗｉｄｔｈ)、リソースブロック(ＲＢ)個数により特定されるいくつかの条件下の通信環境において、電力調整(ＰＣ)の量又は範囲を定義する。
【０１７４】
端末に設定された＃ＣＣｓ＝５、＃ＲＦ＝２である通信環境を仮定する。端末のために２０ＭＨｚシステムで５個のＣＣが各々ＱＰＳＫ、ＱＰＳＫ、ＱＰＳＫ、ＱＰＳＫ、１６ＱＡＭに変調され、前記５個のＣＣに対して各々２０ＲＢがスケジューリングされている場合、該当端末の電力調整の範囲は２ｄＢ〜４ｄＢである。したがって、端末は、設定された最大送信電力を２ｄＢ〜４ｄＢまで減少させることができる。
【０１７５】
表６は、端末の集約可能なＣＣの個数が総５個、電力クラスが３であり、サポート可能なＲＦが２個である場合を示す一例のテーブルであり、端末の固有な仕様を決定する要素である。これらは、端末に固定的に格納されたものである。
【０１７６】
したがって、集約可能なＣＣの個数、サポート可能なＲＦ個数、及び電力クラスの新しい組み合わせにより新しいテーブルが定義されることができる。ただし、基地局は前記新しいテーブルを知ることができないため、端末は、テーブル自体を電力調整に関する情報として基地局に送信する。以下、このような電力調整に関する情報であるテーブルを電力調整テーブルという。
【０１７７】
電力調整テーブルで、各スケジューリングパラメータを電力調整に関するシーケンス情報で表す時、前記電力調整に関するシーケンス情報は、電力調整の範囲又は量が異なることを指し示し得る。これは、表７に示されたシーケンスによって表される。
【０１７８】
【表７】
2013538028.tif 000016
【０１７９】
表７を参照すると、ＵＥ ＰＣ ｉｎｆｏｒｍａｔｉｏｎは、端末に特定の電力調整に対する情報を意味する。シーケンスインデックス(ＳＱ_ｉｎｄｅｘ)は、各シーケンス(ＳＥＱＵＥＮＣＥ)を区別するインデックスであり、０〜３１までの整数であり、３１は最大シーケンスインデックス(ｍａｘＳＱ_ｉｎｄｅｘ)に該当する。シーケンスの大きさ(ｓｉｚｅ)は、１から最大シーケンスインデックスまで可変的である。電力調整最小値(ＰＣＶａｌｕｅ_Ｌｏｗ)は、端末に適用される電力調整の最小値であり、電力調整最大値(ＰＣＶａｌｕｅ_Ｈｉｇｈ)は、端末に適用される電力調整の最大値である。電力調整オフセット(ＰＣ_ｏｆｆｓｅｔ)は、端末のスケジューリングと関係なく常に設定する電力調整の量又は範囲(ｄＢ)である。
【０１８０】
例えば、３個のＵＬ ＣＣ{ＣＣ１,ＣＣ３,ＣＣ４}が端末に設定されており、そのうち２個のＵＬ ＣＣ{ＣＣ１,ＣＣ３}にリソースが割り当てられて、前記２個のＵＬ ＣＣからデータを送信しなければならないと仮定する。もし、ＣＣ１が主サービングセルＰＳＣ(Ｐｒｉｍａｒｙ Ｓｅｒｖｉｎｇ Ｃｅｌｌ)として設定されてＰＵＣＣＨが割り当てられる時、端末により計算される電力調整の量又は範囲を設定する場合、ＣＣ１、ＣＣ３に割り当てられたリソースによって電力調整最小値及び電力調整最大値が決定される。また、ＰＵＣＣＨの割当可否により電力調整オフセット値が追加的に調整される。
【０１８１】
ここで、電力調整の値が範囲値に定義されない場合、電力調整最小値(ＰＣＶａｌｕｅ_Ｌｏｗ)及び電力調整最大値(ＰＣＶａｌｕｅ_Ｈｉｇｈ)の代わりに一つの電力調整値(ＰＣＶａｌｕｅ)が含まれることができる。
【０１８２】
他の例として、電力調整に対する情報は、該当端末が設定することができる一部のＵＬ ＣＣ組み合わせ及び各ＵＬ ＣＣにおけるＰＵＣＣＨの設定時に計算される電力調整の値で構成される。この場合、電力調整に対する情報は、電力調整テーブルに基づいて設定され、このうち現在のＵＬ ＣＣの設定に関する電力調整の値のみを使用して設定された別途のテーブルに基づいてシーケンスが定義される。表８は、ＵＬ ＣＣが一つのみ存在する場合の例である。
【０１８３】
【表８】
2013538028.tif 000017
【０１８４】
２．付随情報要求メッセージ(Ｓｕｂｓｉｄｉａｒｙ Ｉｎｆｏｒｍａｔｉｏｎ Ｒｅｑｕｅｓｔ Ｍｅｓｓａｇｅ)
【０１８５】
付随情報要求メッセージは、基地局が端末に付随情報を要求するときに使われるメッセージである。付随情報要求メッセージは、物理層、ＭＡＣ階層又はＲＲＣ階層で生成されるメッセージであってもよい。表９は、要求された付随情報がハードウェア構成に関する特性情報のみを含む場合である。
【０１８６】
【表９】
2013538028.tif 000018
【０１８７】
表９を参照すると、付随情報要求情報要素(Ｉｎｆｏｒｍａｔｉｏｎ Ｅｌｅｍｅｎｔ；ＩＥ)は、特性情報(Ｃｈａｒａｃｔｅｒｉｓｔｉｃ Ｉｎｆｏｒｍａｔｉｏｎ；ＣＩ)要求(ＣＩ−ＲｅｐｏｒｔＲｅｑ)フィールドを含む。特性情報要求フィールドは、端末のハードウェア構成に関する特性情報を要求するかどうかを指示するときに使われる。
【０１８８】
表１０は、要求された付随情報が電力調整に関する情報のみを含む場合である。
【０１８９】
【表１０】
2013538028.tif 000019
【０１９０】
表１０を参照すると、付随情報要求情報要素は、電力調整要求(ＰＣ−Ｒｅｐｏｒｔ Ｒｅｑ)フィールドを含む。電力調整要求フィールドは、端末が電力調整に関する情報を要求するかどうかを指示するときに使われる。
【０１９１】
表１１は、要求された付随情報がハードウェア構成に対する特性情報及び電力調整に関する情報を含む場合である。
【０１９２】
【表１１】
2013538028.tif 000020
【０１９３】
表１１を参照すると、付随情報要求情報要素は、特性情報要求(ＣＩ−Ｒｅｐｏｒｔ Ｒｅｑ)フィールド及び電力調整要求(ＰＣ−ＲｅｐｏｒｔＲｅｑ)フィールドを含む。
【０１９４】
３．付随情報応答メッセージ(Ｓｕｂｓｉｄｉａｒｙ Ｉｎｆｏｒｍａｔｉｏｎ Ｒｅｓｐｏｎｓｅ Ｍｅｓｓａｇｅ)
【０１９５】
付随情報応答メッセージは、付随情報要求メッセージに対応し、端末が基地局に送信する情報である。付随情報応答メッセージは、基地局により要求された付随情報を含む。または、付随情報応答メッセージは、単純に付随情報を送信する情報であってもよい。この場合、付随情報は、基地局による要求がなくても付随情報応答メッセージを介して基地局に送信されることができる。付随情報応答メッセージは、物理層、ＭＡＣ階層又はＲＲＣ階層で生成されるメッセージであってもよい。表１２は、応答される付随情報がハードウェア構成に関する特性情報のみを含む場合である。
【０１９６】
【表１２】
2013538028.tif 000021
【０１９７】
表１２を参照すると、付随情報応答情報要素(Ｓｕｂｓｉｄｉａｒｙ Ｉｎｆｏｒｍａｔｉｏｎ Ｒｅｓｐｏｎｓｅ Ｉｎｆｏｒｍａｔｉｏｎ Ｅｌｅｍｅｎｔ；ＩＥ)は、ＲＦチェーンの個数(Ｎｏ ｏｆ ＲＦ ｃｈａｉｎ)フィールド及び特性情報応答(ＣＩ−Ｒｅｐｏｒｔ)フィールドを含む。これは端末が特性情報要求フィールドを含む付随情報要求情報を受信した場合に、前記付随情報応答情報要素が送信される形態である。特性情報応答フィールドは、端末のハードウェア構成に関する特性情報（例えば、 周波数帯域、中心周波数(Ｃｅｎｔｅｒ Ｆｒｅｑｕｅｎｃｙ)に関する情報）及びＲＣチェーン自体の帯域幅(Ｂａｎｄｗｉｄｔｈ)に関する特性情報を含む。
【０１９８】
表１３は、応答される付随情報が電力調整に関する情報のみを含む場合である。
【０１９９】
【表１３】
2013538028.tif 000022
【０２００】
表１３を参照すると、付随情報応答情報要素は、電力調整応答(ＰＣ−Ｒｅｐｏｒｔ)フィールドを含む。これは端末が電力調整要求フィールドを含む付随情報要求情報を受信した場合に送信する形態である。
【０２０１】
表１４は、応答される付随情報がハードウェア構成に関する特性情報及び電力調整に関する情報を含む場合である。
【０２０２】
【表１４】
2013538028.tif 000023
【０２０３】
図１３は、本発明の一例に係る電力調整に関する制御情報の送信方法を示す流れ図である。
【０２０４】
図１３を参照すると、基地局は、付随情報要求メッセージを端末に送信する(Ｓ１３００)。付随情報要求メッセージは、端末に対して付随情報を要求するためのメッセージであり、例示的に前記表９乃至表１１のような情報フィールドを含む。
【０２０５】
端末は、付随情報を取得する(Ｓ１３０５)。前述したように、付随情報の例は多様である。付随情報は、端末のハードウェア構成に関する特性情報又は電力調整に関する情報を含むことができる。例えば、付随情報が端末の特性情報と仮定する。ＲＦチェーンのような特性情報は、端末の物理層の階層で扱われる情報であるため、端末は、上位階層と物理層との間のシグナリングにより前記特性情報を取得することができる。
【０２０６】
端末は、取得された付随情報を含む付随情報応答メッセージを基地局に送信する(Ｓ１３１０)。付随情報応答メッセージは、基地局に付随情報を報告するためのメッセージであり、例示的に前記表１２乃至表１３のような情報フィールドを含む。
【０２０７】
基地局は、付随情報を付随情報応答メッセージから抽出し、前記抽出された付随情報に基づいてアップリンクスケジューリングを実行する(Ｓ１３１５)
【０２０８】
端末と基地局は、付随情報を交換するために別途の付随情報要求メッセージ、付随情報応答メッセージを使用せず、他の目的として使われた既存のＲＲＣメッセージに付随情報の要求/報告機能を追加することができる。例えば、前記ＲＲＣメッセージは、端末情報メッセージ(ＵＥ Ｉｎｆｏｒｍａｔｉｏｎ Ｍｅｓｓａｇｅ)である。これは、以下の図１４で説明する。
【０２０９】
図１４は、本発明の他の例に係る電力調整に関する制御情報の送信方法を示す流れ図である。
【０２１０】
これは付随情報の送受信が端末情報手順(ＵＥ Ｉｎｆｏｒｍａｔｉｏｎ Ｐｒｏｃｅｄｕｒｅ)に便乗して行われる場合である。端末情報手順とは、端末の情報、端末により測定されて確保された情報及び端末の操作と関連した情報のうちの全体又は一部の情報を、基地局が端末に対して要求するときに、前記基地局から要求された該当情報の全部又は一部を前記基地局に送信する手順である。
【０２１１】
図１４を参照すると、基地局は、付随情報要求情報要素を含む端末情報要求(ＵＥ Ｉｎｆｏｒｍａｔｉｏｎ Ｒｅｑｕｅｓｔ)メッセージを端末に送信する(Ｓ１４００)。前記付随情報要求情報要素は、端末の特性情報要求フィールド及び/又は電力調整要求フィールドを含む。即ち、基地局は、端末情報要求メッセージ内に特性情報、又は電力調整に関する情報、又は特性情報と電力調整に関する情報の全てを要求するフィールドを挿入することができる。表１５は、端末情報要求メッセージに含まれる端末情報要求フィールドの説明(ｄｅｓｃｒｉｐｔｉｏｎ)の例である。
【０２１２】
【表１５】
2013538028.tif 000024
【０２１３】
これに対する応答として、端末は、付随情報応答情報要素を含む端末情報応答(ＵＥ Ｉｎｆｏｒｍａｔｉｏｎ Ｒｅｓｐｏｎｓｅ)メッセージを基地局に送信する(Ｓ１４０５)。前記付随情報応答情報要素は、端末の特性情報応答フィールド及び/又は電力調整応答フィールドを含む。表１６は、端末情報応答メッセージに含まれることができる端末情報応答フィールドの説明の例である。
【０２１４】
【表１６】
2013538028.tif 000025
【０２１５】
図１５は、本発明の一例に係る移動局の電力調整に関する制御情報の送信方法を示すフローチャートである。ここでは付随情報要求メッセージと付随情報応答メッセージがＲＲＣメッセージであると仮定する。
【０２１６】
図１５を参照すると、端末は、ＲＲＣ接続確立(ｅｓｔａｂｌｉｓｈｍｅｎｔ)手順、ＲＲＣ接続再確立(ｒｅ−ｅｓｔａｂｌｉｓｈｍｅｎｔ)手順及びＲＲＣ接続再構成(ｒｅｃｏｎｆｉｇｕｒａｔｉｏｎ)手順のようなＲＲＣ接続手順を完了する(Ｓ１５００)。
【０２１７】
端末は、付随情報要求情報要素を含む付随情報要求メッセージを基地局から受信する(Ｓ１５０５)。
【０２１８】
端末は、前記付随情報要求情報要素に端末の特性情報要求フィールド及び/又は電力調整要求フィールドが含まれていたかどうかを確認する(Ｓ１５１０)。もし、前記付随情報要求情報要素に含まれるフィールドが特定なもの(例えば、特性情報要求フィールド又は電力調整要求フィールド、又は二つとも)である場合と、端末と基地局との間に予め約束されている場合、フィールドを確認する必要がないため、このステップＳ１５１０は省略されてもよい。
【０２１９】
端末は、付随情報(例えば、特性情報及び/又は電力調整に関する情報)を取得し、前記付随情報を含む付随情報応答メッセージを生成する(Ｓ１５１５)。付随情報を取得する手順では、端末の上位階層が物理層のような下位階層に付随情報を要求することによって、下位階層から前記付随情報を取得することができる。したがって、付随情報の取得のための上位階層と下位階層との間のシグナリングが必要である。
【０２２０】
端末は、前記付随情報応答メッセージを基地局に送信する(Ｓ１５２０)。
【０２２１】
図１６は、本発明の一例に係る基地局の電力調整に関する制御情報の送信方法を示すフローチャートである。
【０２２２】
図１６を参照すると、基地局は、ＲＲＣ接続確立手順、ＲＲＣ接続再確立手順又はＲＲＣ接続再構成手順のようなＲＲＣ接続手順を完了する(Ｓ１６００)。
【０２２３】
基地局は、端末の現在のＣＣ設定状態に関して電力調整に関する情報を保有しているかどうかを確認する(Ｓ１６０５)。ここでは基地局が前記電力調整に関する情報を有していないと仮定する。もちろん、基地局が前記電力調整に関する情報を有しているとしても、図１６の手順が必ず無視されるものではなく、電力調整に関する情報を得るために手順Ｓ１６０５を再び実行することもできる。前述の手順の種々の組み合わせを実行しても良い。
【０２２４】
基地局は、付随情報を決定し、付随情報要求情報要素を含む付随情報要求メッセージを生成する(Ｓ１６１０)。
【０２２５】
基地局は、前記付随情報要求メッセージを端末に送信する(Ｓ１６１５)。
【０２２６】
基地局は、前記付随情報要求メッセージに対する応答として、付随情報応答メッセージを端末から受信する(Ｓ１６２０)。
【０２２７】
基地局は、前記付随情報要求メッセージから付随情報(端末の特性情報及び/又は電力調整に関する情報)を抽出し、端末のコンテキスト(ｃｏｎｔｅｘｔ)を構成又は再構成する(Ｓ１６２５)。これは付随情報により端末のコンテキストを変更することができるためである。
【０２２８】
以後のステップは、図１７で詳細に説明する。
【０２２９】
図１７は、本発明の一例に係る電力調整に関する情報からスケジューリングパラメータを設定する方法を説明するフローチャートである。
【０２３０】
図１７を参照すると、基地局は、アップリンクで受信されたバッファ状態報告(Ｂｕｆｆｅｒ Ｓｔａｔｅ Ｒｅｐｏｒｔ；ＢＳＲ)、ネットワーク状況、リソース利用状況などを考慮し、ＭＣＳ(Ｍｏｄｕｌａｔｉｏｎ ａｎｄ Ｃｏｄｉｎｇ Ｓｃｈｅｍｅ)、ＴＰＣ(Ｔｒａｎｓｍｉｔ Ｐｏｗｅｒ Ｃｏｎｔｒｏｌ)、リソース割当情報のようなスケジューリングパラメータを設定する(Ｓ１７００)。
【０２３１】
基地局は、パワーヘッドルーム報告(ＰＨＲ)を受信した履歴があるかどうかを判断する(Ｓ１７０５)。ここで、前記パワーヘッドルーム報告によるパワーヘッドルーム値は、最近(ｌａｓｔ)に受信したパワーヘッドルーム値である。パワーヘッドルーム報告を受信した履歴があるかどうかは、端末の環境情報を介して知ることができる。
【０２３２】
もし、基地局がパワーヘッドルーム報告を受信した履歴がない場合、最初に送信する新規データ指示子(ｎｅｗ ｄａｔａ ｉｎｄｉｃａｔｏｒ；ＮＤＩ)を含むアップリンクグラントが構成されるときにおいて、パワーヘッドルーム報告等スケジューリングと関連したパラメータを考慮しない。したがって、基地局は、前記設定されたスケジューリングパラメータに基づいてアップリンクグラントを構成し、前記アップリンクグラントを端末に送信する(Ｓ１７２０)。
【０２３３】
もし、基地局がパワーヘッドルーム報告を受信した履歴がある場合、基地局は、スケジューリング有効性(ｓｃｈｅｄｕｌｉｎｇ ｖａｌｉｄａｔｉｏｎ)を判断する(Ｓ１７１０)。スケジューリング有効性判断とは、電力調整の推定値に影響を与えるスケジューリングパラメータが変更される場合、基地局が最後に受信したパワーヘッドルーム報告に基づいて前記変更されたスケジューリングパラメータがアップリンク最大送信電力の観点で有効かどうかを判断することを意味する。
【０２３４】
スケジューリング有効性判断の一例は、以下の数式８の通りである。
【０２３５】
【数８】
2013538028.tif 000026
【０２３６】
数式８を参照すると、ΔＥＰＣは、現在スケジューリングパラメータに基づいて推定された電力調整推定値(Ｅｓｔｉｍａｔｅｄ Ｐｏｗｅｒ Ｃｏｏｒｄｉｎａｔｉｏｎ；ＥＰＣ)から以前のスケジューリングパラメータに基づいて推定された電力調整推定値を引いた値である。電力調整推定値に影響を及ぼすスケジューリングパラメータには、リソースブロックの個数、変調方式、ＰＵＳＣＨリソース割り当てフォーマット(例えば、ＰＵＳＣＨリソース割り当てフォーマットが連続的又は非連続的に割り当てられたか否か)、ＰＵＣＣＨが存在するか否か(ＰＵＣＣＨ及びＰＵＳＣＨが並列送信されるか或いはＰＵＳＣＨが単独で送信されるか)等がある。
【０２３７】
一方、ΔＴｘＰｗは、次の関係によって定義される：
ΔＴｘＰｗ＝ΔＰＵＳＣＨ＋ΔＰＵＣＣＨ
ここで、ΔＰＵＣＣＨは、主要セルの場合にのみ考慮される。ΔＰＵＳＣＨは、現在のスケジューリングパラメータにより計算されたＰＵＳＣＨの電力から最近にスケジューリングしたＰＵＳＣＨの電力を引いた値である。ΔＰＵＣＣＨは、該当サブフレームで主要セルを介して受信されるＰＵＣＣＨの電力から最近に受信したＰＵＣＣＨの電力を引いた値である。ここで、ＰＵＣＣＨは、基地局により各端末毎に設定された周期によって端末の主要セルを介して受信されるため、基地局は、サブフレームによってＰＵＣＣＨの受信可否を予測することができる。
【０２３８】
スケジューリング有効性判断が数式８により行われる場合、もし、数式８がｆａｌｓｅ（０未満）の場合、該当基地局のポリシーによってΔＥＰＣ又はΔＴｘＰｗが減るように、前記基地局はスケジューリングパラメータを修正する(Ｓ１７１５)。
【０２３９】
もし、数式８がｔｒｕｅの場合、前記設定されたスケジューリングパラメータが有効であるため、基地局は、前記設定されたスケジューリングパラメータに基づいてアップリンクグラントを構成し、前記アップリンクグラントを端末に送信する(Ｓ１７２０)。アップリンクグラントは、端末に対するアップリンクリソース割当のためのフォーマット ０のダウンリンク制御情報(Ｄｏｗｎｌｉｎｋ Ｃｏｎｔｒｏｌ Ｉｎｆｏｒｍａｔｉｏｎ；ＤＣＩ)であり、ＰＤＣＣＨ上に送信される。アップリンクグラントの一例は、以下の表１７の通りである。
【０２４０】
【表１７】
2013538028.tif 000027
【０２４１】
表１７を参照すると、アップリンクグラントは、ＲＢ、変調及びコーディングスキーム(ＭＣＳ)、ＴＰＣ等の情報を含む。以後、基地局は、端末からアップリンクデータを受信する(Ｓ１７２５)。
【０２４２】
図１８は、本発明の一例に係る多重コンポーネントキャリアシステムにおいて、端末と基地局を示すブロック図である。
【０２４３】
図１８を参照すると、多重コンポーネントキャリアシステムは、端末１８００と基地局１８５０を含む。端末１８００は、メッセージ受信部１８０５、付随情報取得部１８１０、付随情報応答メッセージ生成部１８１５、及びメッセージ送信部１８２０を含む。
【０２４４】
メッセージ受信部１８０５は、基地局１８５０からアップリンクグラント、ＲＲＣ接続手順と関連したメッセージ、付随情報要求メッセージを受信する。
【０２４５】
付随情報取得部１８１０は、付随情報要求メッセージに含まれている付随情報要求情報要素を抽出し、前記付随情報要求情報要素に含まれているフィールドを分析し、基地局の要求に適合する付随情報を取得する。例えば、付随情報要求情報要素が特性情報要求フィールドを含む場合、付随情報取得部１８１０は、端末のハードウェア構成に関する特性情報を取得する。この場合、付随情報取得部１８１０は、前記特性情報を提供することができる下位階層に前記付随情報を要求することによって付随情報を取得することができる。もし、付随情報要求情報要素が電力調整要求フィールドを含む場合、付随情報取得部１８１０は、端末の電力調整に関する情報を取得する。ここで、付随情報を‘取得’するという表現が使われたが、これは付随情報を‘生成’するという表現と同等な概念である。
【０２４６】
付随情報応答メッセージ生成部１８１５は、付随情報取得部１８１０により取得された付随情報を含む付随情報応答メッセージを生成する。付随情報応答メッセージは、物理層メッセージ、ＭＡＣ階層のメッセージ、ＲＲＣ階層のメッセージであってもよい。または、付随情報応答メッセージは、端末情報応答メッセージであってもよい。
【０２４７】
メッセージ送信部１８２０は、付随情報応答メッセージ生成部１８１５により生成された付随情報応答メッセージを基地局１８５０に送信する。または、メッセージ送信部１８２０は、アップリンクグラントに基づいて生成されるアップリンクデータを基地局１８５０に送信する。
【０２４８】
基地局１８５０は、メッセージ生成部１８５５、メッセージ受信部１８６０、付随情報分析部１８６５、スケジューリング部１８７０、及びメッセージ送信部１８７５を含む。
【０２４９】
メッセージ生成部１８５５は、スケジューリング部１８７０で決定されるアップリンクスケジューリングパラメータに基づいてアップリンクグラントを生成する。メッセージ生成部１８５５は、付随情報を要求するための付随情報要求メッセージを生成する。付随情報要求メッセージは、物理層メッセージ、ＭＡＣ階層のメッセージ、ＲＲＣ階層のメッセージであってもよい。または、付随情報要求メッセージは、端末情報要求メッセージであってもよい。付随情報要求メッセージは、付随情報要求情報要素を含み、前記付随情報要求情報要素は、特定の付随情報要求フィールドを含む。
【０２５０】
メッセージ受信部１８６０は、付随情報応答メッセージ、ＲＲＣ接続手順と関連したメッセージ、アップリンクデータを端末から受信する。
【０２５１】
付随情報分析部１８６５は、メッセージ受信部１８６０が受信した付随情報応答メッセージから付随情報を抽出し、前記付随情報の種類を分析する。例えば、付随情報分析部１８６５は、前記付随情報が端末１８００のハードウェア構成に関する特性情報か端末１８００の電力調整に関する情報かを判断する。
【０２５２】
スケジューリング部１８７０は、付随情報分析部１８６５により分析された特性情報を用いて間接的に電力調整に関する情報を類推することができる。または、スケジューリング部１８７０は、付随情報分析部１８６５により分析された電力調整に関する情報を直接的に得ることができる。スケジューリング部１８７０は、得られた電力調整に関する情報に基づいて、アップリンクスケジューリングパラメータを設定し、前記アップリンクスケジューリングパラメータをメッセージ生成部１８５５に知らせる。
【０２５３】
メッセージ送信部１８７５は、アップリンクグラント、ＲＲＣ接続手順と関連したメッセージ、付随情報要求メッセージを端末１８００に送信する。
【０２５４】
本願明細書の開示によれば、基地局は電力調整に関する情報を取得するために、端末から情報を要求することが可能であって、前記基地局によって要求された情報を前記端末は送信する。従って、電力調整に関する情報の送信及び受信の手順が明確になる。更に、既存の端末情報手順を用いて電力調整に関する情報を提供することができるので、既存のシステムの手順との互換性を維持することができる。
【０２５５】
前記では各手順を実行するユニット(ｕｎｉｔ)を分けて説明した。しかし、これは例示に過ぎず、各手順は一つのユニット（例えば、端末や基地局のプロセッサ(ｐｒｏｃｅｓｓｏｒ)）で実行されてもよい。
【０２５６】
本発明が属する技術分野において通常の知識を有する者であれば、本発明の本質的な特性から外れない範囲で多様な修正及び変形が可能であることが明らかであろう。このように、本発明の修正及び変形が、添付された請求範囲及びそれと同等な範囲内に含まれるのであれば、本発明は前記修正及び変形を含むことが意図される。
【図７】
2013538028.tif 000028
【図８】
2013538028.tif 000029
【図９】
2013538028.tif 000030
【図１】
2013538028.tif 000031
【図２】
2013538028.tif 000032
【図３】
2013538028.tif 000033
【図４】
2013538028.tif 000034
【図５】
2013538028.tif 000035
【図６】
2013538028.tif 000036
【図１０】
2013538028.tif 000037
【図１１】
2013538028.tif 000038
【図１２】
2013538028.tif 000039
【図１３】
2013538028.tif 000040
【図１４】
2013538028.tif 000041
【図１５】
2013538028.tif 000042
【図１６】
2013538028.tif 000043
【図１７】
2013538028.tif 000044
【図１８】
2013538028.tif 000045
【国際調査報告】
2013538028.tif 000046
2013538028.tif 000047